(57)【要約】挿入器は、ハウジングおよび摺動器部品を含むことができる。摺動器部品は、ハウジングに結合され、その外面に沿って位置決めすることができる。摺動器部品は、ハウジングの細長いスロットに沿って摺動可能とすることができ、ハウジング本体のガイドチャネル内に配置されたガイドタブを含むことができる。摺動器は、ハウジング本体に対して押し付けて、ガイドチャネルの壁に対してガイドタブを押し付けるように構成された付勢部材を有する摩擦タブを含むことができる。さらに、挿入器の針を中に受け入れるように構成された針ガイドを含む偏向器部品を提供することができる。偏向器部品は、針ガイドが針を屈曲させ、針を屈曲構成に維持することを可能にするために、挿入器に取り外し可能に結合することができる。【選択図】図１Ｃ
2021516596.tif 000002
【特許請求の範囲】
【請求項１】
緑内障を治療するための眼内シャント挿入器であって、
遠位部分と、近位部分と、前記遠位部分と前記近位部分との間に延びる長手方向軸とを有するハウジングであって、前記ハウジングは、内部空洞と、ガイドチャネルと、細長いスロットとをさらに備え、前記ガイドチャネルは、長手方向軸に沿って延び、前記ハウジングの外面に沿ってアクセス可能になっており、前記ガイドチャネルは内壁を有し、前記細長いスロットは、前記ハウジングの前記外面に沿って前記長手方向軸に沿って内部空洞内に延びる、前記ハウジングと、
前記ハウジングの前記外面に沿って前記ハウジングに摺動可能に結合された摺動器部品であって、前記摺動器部品は、前記細長いスロットを介して前記挿入器の機能を作動させるために前記細長いスロットに沿って摺動可能になっており、前記摺動器部品は、ガイドタブと摩擦タブとを備え、前記ガイドタブは、前記ハウジングの前記ガイドチャネル内に、前記ガイドチャネルに沿って摺動可能に配置され、前記摩擦タブは、前記ガイドタブに対して運動可能であり、前記摩擦タブを前記ハウジングに押し付け、前記ガイドタブを前記ガイドチャネルの前記内壁に接触させ、前記摺動器部品と前記ハウジングとの間において摺動に対して摩擦抵抗を提供するように構成された付勢部分を備える、前記摺動器部品と
を備える、眼内シャント挿入器。
【請求項２】
前記摺動器部品は、前記ハウジングが嵌合される内部領域を備える、請求項１に記載の眼内シャント挿入器。
【請求項３】
前記内部領域は、半円筒形である、請求項２に記載の眼内シャント挿入器。
【請求項４】
前記摩擦タブは、前記ハウジングの外面に接触するために、前記摺動器部品の前記内部領域に向かって内向きに延びる、請求項２に記載の眼内シャント挿入器。
【請求項５】
前記摩擦タブは、前記摺動器部品の前記内部領域に向かって内向きに延びる一対の摩擦タブを備える、請求項４に記載の眼内シャント挿入器。
【請求項６】
前記ガイドタブは、前記摺動器部品の内部領域に向かって内向きに延びる、請求項２に記載の眼内シャント挿入器。
【請求項７】
前記ガイドタブは、前記摺動器部品の前記内部領域に向かって内向きに延びる一対のガイドタブを備える、請求項２に記載の眼内シャント挿入器。
【請求項８】
前記摺動器部品は、略円筒形の輪郭を有し、前記ガイドタブは、前記内部領域の内面に沿って互いに約９０度〜約１８０度の間で離間される、請求項２に記載の眼内シャント挿入器。
【請求項９】
前記ハウジングに結合されると、前記摺動器部品は、前記ガイドタブおよび前記摩擦タブを介してのみ前記ハウジングと接触するようになっている、請求項１に記載の眼内シャント挿入器。
【請求項１０】
前記ガイドタブは、一対のガイドタブを備え、前記一対のガイドタブのそれぞれは、前記ガイドチャネル内に着座するように構成された長手方向に延びるフランジを備える、請求項１に記載の眼内シャント挿入器。
【請求項１１】
前記ハウジングは、略円筒形の輪郭を有し、一対のガイドチャネルが、前記ハウジングの前記外面に沿って互いに約９０度〜約１８０度の間で離間されている、請求項１に記載の眼内シャント挿入器。
【請求項１２】
前記ガイドチャネルは、互いに約１８０度で配置される、請求項１１に記載の眼内シャント挿入器。
【請求項１３】
前記ガイドタブ、前記摩擦タブ、および前記摺動器部品は、単一の連続した材料片として形成される、請求項１に記載の眼内シャント挿入器。
【請求項１４】
前記摩擦タブは、前記摺動器部品の本体を通る切り抜きとして形成される、請求項１に記載の眼内シャント挿入器。
【請求項１５】
前記摩擦タブは、前記摺動器部品の内部領域に向かって延びる突出部を備える、請求項１４に記載の眼内シャント挿入器。
【請求項１６】
前記摺動器部品が前記ハウジングに結合されると、前記摩擦タブの前記突出部が前記ハウジングに接触するようになっている、請求項１５に記載の眼内シャント挿入器。
【請求項１７】
前記摩擦タブの前記突出部は、前記ハウジングと接触して、前記摩擦タブを前記ガイドタブから離れる方向に屈曲させるようになっている、請求項１６に記載の眼内シャント挿入器。
【請求項１８】
前記ハウジングは、略円筒形の輪郭を有する、請求項１に記載の眼内シャント挿入器。
【請求項１９】
前記ハウジングは、前記摩擦タブが前記ハウジングに接触して操作者に可聴または触覚フィードバックを提供できるインジケータ領域を有する、請求項１記載の眼内シャント挿入器。
【請求項２０】
前記インジケータ領域は、前記ハウジングの前記外面に少なくとも１つの不連続部を有する、請求項１９に記載の眼内シャント挿入器。
【請求項２１】
前記インジケータ領域は、前記ハウジングの前記外面上の少なくとも１つの隆起部を有する、請求項１９に記載の眼内シャント挿入器。
【請求項２２】
前記インジケータ領域は、前記ハウジングの前記外面上に複数の鋸歯状の構成を有する、請求項１９に記載の眼内シャント挿入器。
【請求項２３】
前記インジケータ領域は、前記ハウジングの前記外面上に複数の先細ピークを有する、請求項１９に記載の眼内シャント挿入器。
【請求項２４】
前記挿入器の前記機能は、針内でシャントを前進させることを含み、前記インジケータ領域に沿った前記摺動器部品の位置は、前記針に対する前記シャントの配備位置に対応する、請求項１９に記載の眼内シャント挿入器。
【請求項２５】
前記インジケータ領域は、前記ハウジングの前記外面上の複数の隆起部を有し、前記隆起部のそれぞれは、眼内シャントの配備位置に対応する、請求項１９に記載の眼内シャント挿入器。
【請求項２６】
前記摺動器部品は、前記ハウジング内の配備機構に動作可能に結合されるようになっている、請求項１に記載の眼内シャント挿入器。
【請求項２７】
前記摺動器部品は、前記細長いスロットを通って延びるロッドを介して前記配備機構に結合され、前記ロッドは、前記摺動器部品および前記配備機構に結合される、請求項２６に記載の眼内シャント挿入器。
【請求項２８】
約６度〜約１０度の間の角度の屈曲部を含む中空の針をさらに備え、前記針は、眼内シャントを運ぶように構成されている、請求項１に記載の眼内シャント挿入器。
【請求項２９】
前記針は、直線部分および角度付き部分を画定する、請求項２８に記載の眼内シャント挿入器。
【請求項３０】
前記挿入器の遠位端部分から延びる中空の針をさらに備え、前記挿入器は、前記挿入器の前記遠位端部分に解放可能に取り付け可能な偏向器部品をさらに備え、前記偏向器部品が前記挿入器に結合されると、前記中空の針は前記偏向器部品を通って延び、前記偏向器は前記針を屈曲構成に維持するようになっている、請求項１に記載の眼内シャント挿入器。
【請求項３１】
前記屈曲構成において、前記針は、約６度〜約１０度の間の角度で屈曲される、請求項３０に記載の眼内シャント挿入器。
【請求項３２】
前記針は、前記偏向器と結合されると、弾性変形するようになっている、請求項３０に記載の眼内シャント挿入器。
【請求項３３】
前記挿入器の前記遠位端部分は割り出し構造を有し、前記偏向器部品は位置合わせ指標を有し、前記偏向器部品の前記位置合わせ指標は、前記割り出し構造と解放可能に係合して、前記挿入器に対する前記偏向器部品の回転配向を画定することができるようになっている、請求項３０に記載の眼内シャント挿入器。
【請求項３４】
前記偏向器部品は、カプラーに取り付けられてそこから延びる屈曲した針ガイドを備え、前記位置合わせ指標は、前記カプラーに沿って形成される、請求項３３に記載の眼内シャント挿入器。
【請求項３５】
前記位置合わせ指標は、前記カプラーの近位部分に沿って位置決めされる、請求項３４に記載の眼内シャント挿入器。
【請求項３６】
前記位置合わせ指標は、前記カプラーの周囲に沿って延びる少なくとも１つの溝を備える、請求項３４に記載の眼内シャント挿入器。
【請求項３７】
前記針ガイドは、中空シャフトを備える、請求項３４に記載の眼内シャント挿入器。
【請求項３８】
前記割り出し構造は、対応する溝に摺動するように構成された少なくとも１つの突出部を備える、請求項３３に記載の眼内シャント挿入器。
【請求項３９】
緑内障を治療するための眼内シャント挿入器であって、
遠位部分と、近位部分と、前記遠位部分と前記近位部分との間に延びる長手方向軸とを有するハウジングであって、前記ハウジングは、内部空洞と、ガイドチャネルと、前記挿入器の機能を作動させるための、前記ハウジングの外面に沿って前記空洞内に延びる細長いスロットとをさらに備える、前記ハウジングと、
前記ハウジングに結合され、その前記外面に沿って位置決めされた摺動器部品であって、前記摺動器部品は、前記細長いスロットに沿って摺動可能になっており、前記摺動器は、前記ガイドチャネル内に配置されたガイドタブを備える、前記摺動器部品と、
付勢されたタブとインジケータ領域とを備える位置フィードバック機構であって、前記付勢されたタブは前記摺動器部品に結合され、前記インジケータ領域は、前記ハウジングの前記外面に沿って形成され、前記摺動器部品の動きは、前記付勢されたタブを前記インジケータ領域に沿って摺動させ、前記挿入器に対する眼内シャントの位置に関する操作者への触覚または聴覚フィードバックを生成するようになっている、前記位置フィードバック機構と
を含む、眼内シャント挿入器。
【請求項４０】
前記インジケータ領域は、前記ハウジングの前記外面に少なくとも１つの不連続部を有する、請求項３９に記載の眼内シャント挿入器。
【請求項４１】
前記インジケータ領域は、前記ハウジングの前記外面上に少なくとも１つの隆起部を有する、請求項３９に記載の眼内シャント挿入器。
【請求項４２】
前記インジケータ領域は、前記ハウジングの前記外面上に複数の鋸歯状の外観を有する、請求項３９に記載の眼内シャント挿入器。
【請求項４３】
前記インジケータ領域は、前記ハウジングの前記外面に複数の先細ピークを有する、請求項３９に記載の眼内シャント挿入器。
【請求項４４】
前記挿入器の前記機能は、針内でシャントを前進させることを含み、前記インジケータ領域に沿った前記摺動器部品の位置は、前記針に対する前記シャントの配備位置に対応する、請求項３９に記載の眼内シャント挿入器。
【請求項４５】
前記インジケータ領域は、前記ハウジングの前記外面上に複数の隆起部を有し、前記隆起部のそれぞれは、眼内シャントの配備位置に対応する、請求項３９に記載の眼内シャント挿入器。
【請求項４６】
前記複数の隆起部のそれぞれは、前記挿入器の配備機構の駆動部品の回転位置に対応する位置で前記ハウジングに沿って配置される、請求項４５に記載の眼内シャント挿入器。
【請求項４７】
前記挿入器の遠位端部分から延びる中空の針をさらに備え、前記挿入器は、前記挿入器の前記遠位端部分に解放可能に取り付け可能な偏向器部品をさらに備え、前記偏向器部品が前記挿入器に結合されると、前記中空の針は前記偏向器部品を通って延び、前記偏向器は前記針を屈曲構成に維持する、請求項３９に記載の眼内シャント挿入器。
【請求項４８】
前記屈曲構成では、前記針は、約６度〜約１０度の間の角度で屈曲される、請求項４７に記載の眼内シャント挿入器。
【請求項４９】
前記針は、前記偏向器と結合されると、弾性変形する、請求項４７に記載の眼内シャント挿入器。
【請求項５０】
前記針ガイドは、中空シャフトを備える、請求項５２に記載の眼内シャント挿入器。
【請求項５１】
前記挿入器の前記遠位端部分は割り出し構造を有し、前記偏向器部品は位置合わせ指標を有し、前記偏向器部品の前記位置合わせ指標は、前記割り出し構造と解放可能に係合して、前記挿入器に対する前記偏向器部品の回転配向を画定することができるようになっている、請求項４７に記載の眼内シャント挿入器。
【請求項５２】
前記偏向器部品は、カプラーに取り付けられてそこから延びる屈曲した針ガイドを備え、前記位置合わせ指標は、前記カプラーに沿って形成される、請求項５１に記載の眼内シャント挿入器。
【請求項５３】
前記位置合わせ指標は、前記カプラーの近位部分に沿って位置決めされる、請求項５２に記載の眼内シャント挿入器。
【請求項５４】
前記位置合わせ指標は、前記カプラーの周囲に沿って延びる少なくとも１つの溝を有する、請求項５２に記載の眼内シャント挿入器。
【請求項５５】
前記割り出し構造は、前記少なくとも１つの溝内に摺動するように構成された少なくとも１つの突出部を有する、請求項５４に記載の眼内シャント挿入器。
【請求項５６】
前記針は弾性変形可能である、請求項４７記載の眼内シャント挿入器。
【請求項５７】
眼内シャント挿入器を操作する方法であって、
摺動器部品の摩擦タブとハウジングの間の摩擦抵抗を克服することにより、眼内シャント挿入器の前記ハウジングに沿って前記摺動器部品を遠位方向に前進させることであって、前記摺動器部品は、前記挿入器の機能を作動させるために摺動可能であり、前記摺動器部品はガイドタブと摩擦タブとを含み、前記ガイドタブは、前記ハウジングのガイドチャネル内に、前記ガイドチャネルに沿って摺動可能に配置され、前記摩擦タブは、前記ガイドタブに対して運動可能であり、前記摩擦タブを前記ハウジングに押し付け、前記ガイドタブを前記ガイドチャネルの内壁に接触させ、前記摺動器部品と前記ハウジングとの間において前記摩擦抵抗を提供するように構成された付勢部分を含むことと、
前記挿入器の針内に配置されたシャントに対して、前記摺動器と係合したプランジャーを接触させて、前記針内で前記シャントを遠位に前進させることとを含む、方法。
【請求項５８】
前記摩擦タブを介して前記ハウジングの不連続部を係合させることをさらに含む、請求項５７に記載の方法。
【請求項５９】
前記不連続部を係合させることにより聴覚信号を生成することをさらに含む、請求項５８に記載の方法。
【請求項６０】
前記不連続部の位置は、前記針の内腔内の前記シャントの位置に対応する、請求項５８に記載の方法。
【請求項６１】
前記不連続部は隆起部を含む、請求項６０に記載の方法。
【請求項６２】
前記不連続部は鋸歯状の外観を含む、請求項６０に記載の方法。
【請求項６３】
前記不連続部は先細ピークを含む、請求項６０に記載の方法。
【請求項６４】
偏向器部品を前記挿入器の遠位端部分に結合することによって前記挿入器の前記針を屈曲させることをさらに含む、請求項５７に記載の方法。
【請求項６５】
前記屈曲は、前記偏向器部品を通して前記針を挿入して、前記針を屈曲させることを含む、請求項６４に記載の方法。
【請求項６６】
前記屈曲は、約６度〜約１０度の間の角度で前記針を屈曲させることを含む、請求項６４に記載の方法。
【請求項６７】
前記偏向器部品は、直線状の挿入部分と角度の付いた配備部分とを画定する、請求項６４に記載の方法。
【請求項６８】
割り出し機構を介して、前記偏向器部品を前記挿入器の前記遠位端部分と位置合わせすることをさらに含む、請求項６４に記載の方法。
【請求項６９】
前記割り出し機構は、前記挿入器の前記遠位端部分に少なくとも１つの突出部を含む、請求項６８に記載の方法。
【請求項７０】
前記針を弾性変形させることをさらに含む、請求項５７に記載の方法。
【請求項７１】
眼内シャントを配備するためのシステムであって、
遠位端部分と、前記遠位端部分から延びる針とを有するハウジングを含む眼内シャント挿入器と、
前記挿入器の前記遠位端部分に解放可能に取り付け可能な偏向器部品であって、前記偏向器部品は、前記挿入器の前記針を中に受け入れるように構成された針ガイドを有し、前記針ガイドは、前記針を屈曲構成に維持する、前記偏向器部品とを含む、システム。
【請求項７２】
前記針ガイドは中空シャフトを含む、請求項７１に記載のシステム。
【請求項７３】
前記屈曲構成では、前記針は、約６度〜約１０度の間の角度で屈曲される、請求項７１に記載のシステム。
【請求項７４】
前記針は、前記偏向器部品と結合されると、弾性変形する、請求項７１に記載の挿入器。
【請求項７５】
前記挿入器の前記遠位端部分は割り出し構造を含み、前記偏向器部品は位置合わせ指標を含み、前記偏向器部品の前記位置合わせ指標は、前記割り出し構造と解放可能に係合して、前記挿入器に対する前記偏向器部品の回転配向を画定することができる、請求項７１に記載の挿入器。
【請求項７６】
前記偏向器部品は、カプラーを含み、前記針ガイドは、前記カプラーに取り付けられ、前記位置合わせ指標は、前記カプラーに沿って形成される、請求項７５に記載のシステム。
【請求項７７】
前記位置合わせ指標は、前記カプラーの近位部分に沿って位置決めされる、請求項７６に記載のシステム。
【請求項７８】
前記位置合わせ指標は、前記カプラーの周囲に沿って延びる少なくとも１つの溝を含む、請求項７６に記載のシステム。
【請求項７９】
前記割り出し構造は、対応する溝内に摺動するように構成された少なくとも１つの突出部を含む、請求項７６に記載のシステム。
【請求項８０】
眼内シャント送入装置であって、
円筒状ハウジングであって、前記ハウジングに沿って長手方向に延びるガイドチャネルを含み、各ガイドチャネルは、上面を有する内壁を画定する、前記円筒状ハウジングと、
前記ハウジングの周りに配置された半円筒形の摺動器であって、前記摺動器は、前記ハウジングに対して軸方向に運動可能であり、前記摺動器は、
前記摺動器を前記ハウジングに固定するために、前記ハウジングの前記ガイドチャネルのそれぞれの内部に配置された一対のガイドタブと、
前記摺動器上の前記ガイドタブの中間に配置された摩擦タブであって、前記摩擦タブを前記ハウジングに押し付け、前記ガイドタブを前記ガイドチャネルの前記内壁に接触させるように構成された付勢部分と、
前記ハウジング内のシャント配備機構に動作可能に結合された摺動器突出部とを含む、前記摺動器とを含む、眼内シャント送入装置。
【請求項８１】
前記ガイドチャネルは、互いに約１８０度で配置される、請求項８０に記載の送入装置。
【請求項８２】
前記摺動器突出部は、前記ハウジングを通過して前記配備機構に達する、請求項８０に記載の送入装置。
【請求項８３】
前記ハウジングは、操作者に可聴または触覚フィードバックを提供するために前記摩擦タブが前記ハウジングに接触することができる前記ハウジングの外面に沿って配置されたインジケータ領域を含む、請求項８０記載の送入装置。
【請求項８４】
前記インジケータ領域は、溝、くぼみ、または突出部を含む、請求項８３記載の送入装置。
【請求項８５】
前記インジケータ領域は、前記付勢部分を受け入れるための少なくとも１つの不連続部を含む、請求項８３に記載の送入装置。
【請求項８６】
前記インジケータ領域は、前記ハウジングの前記外面上の少なくとも１つの隆起部を含む、請求項８３に記載の送入装置。
【請求項８７】
前記インジケータ領域は、前記ハウジングの前記外面上に複数の鋸歯状の構成を含む、請求項８３に記載の送入装置。
【請求項８８】
前記インジケータ領域は、前記ハウジングの前記外面上に複数の先細ピークを含む、請求項８３に記載の送入装置。
【請求項８９】
約６度〜約１０度の角度の屈曲部を含み、眼内シャントを保持するように構成された中空の針をさらに含む、請求項８０に記載の送入装置。
【請求項９０】
前記屈曲部は、前記針の直線状の挿入部分と角度の付いた配備部分とを画定する、請求項８９に記載の送入装置。
【請求項９１】
前記送入装置の前記遠位端部分に解放可能に取り付け可能な偏向器部品をさらに含み、前記偏向器部品が前記送入装置に結合されると、前記中空の針が前記偏向器部品を通って延び、前記偏向器は、前記針を屈曲構成に維持する、請求項８９に記載の送入装置。
【請求項９２】
前記針は弾性変形される、請求項９１に記載の送入装置。
【請求項９３】
前記送入装置の前記遠位端部分は割り出し構造を含み、前記偏向器部品は位置合わせ指標を含み、前記偏向器部品の前記位置合わせ指標は、前記割り出し構造と解放可能に係合して、前記送入装置に対する前記偏向器部品の回転配向を画定することができる、請求項９１に記載の送入装置。
【請求項９４】
眼内シャントを配備するための挿入器装置であって、前記装置は、
ハウジングと、
前記ハウジング内に配置されたシャント配備機構と、
眼内シャントを送入するための前記ハウジングおよび前記配備機構に結合された変形可能な中空の針と、
前記ハウジングの遠位端部分に解放可能に取り付け可能な偏向器部品であって、前記偏向器部品は、結合本体と、前記針の一部に対して位置決め可能な針ガイドとを含み、前記針を屈曲構成に位置決めさせる、前記偏向器部品とを含む、挿入器装置。
【請求項９５】
前記針ガイドは、約０度〜約１５度の間の角度の屈曲部を含む、請求項９４に記載の装置。
【請求項９６】
前記針ガイドは、約２度〜約１０度の間の角度の屈曲部を含む、請求項９４に記載の装置。
【請求項９７】
前記針ガイドは、約３度〜約８度の間の角度の屈曲部を含む、請求項９４に記載の装置。
【請求項９８】
前記針ガイドは、約４度〜約６度の間の角度の屈曲部を含む、請求項９４に記載の装置。
【請求項９９】
前記針ガイドは、直線状の挿入部分と角度の付いた配備部分とを含む、請求項９４に記載の装置。
【請求項１００】
前記針は弾性変形可能である、請求項９４に記載の装置。
【請求項１０１】
前記ハウジングは割り出し構造を含み、前記偏向器部品は位置合わせ指標を含み、前記偏向器部品の前記位置合わせ指標は、前記割り出し構造と解放可能に係合して、前記挿入器装置に対する前記偏向器部品の回転配向を画定することができる、請求項９４に記載の装置。
【請求項１０２】
前記割り出し構造は、複数の割り出し溝を含む、請求項１０１に記載の装置。
【請求項１０３】
前記複数の割り出し溝は、前記偏向器部品の複数の割り出し突出部を受け入れるように構成される、請求項１０２に記載の装置。
【請求項１０４】
前記割り出し構造は、前記偏向器部品が前記ハウジングと係合することができる複数の配向を画定する、請求項１０１に記載の装置。
【請求項１０５】
請求項１〜１０４のいずれか一項に記載される摺動器部品をさらに含む、請求項９４に記載の装置。
【請求項１０６】
眼内シャント挿入器を操作する方法であって、前記方法は、
眼内シャントを配備するための挿入装置を提供することであって、前記装置は、遠位端部分を有するハウジングと、前記ハウジング内に配置されたシャント配備機構と、眼内シャントを送入するために前記ハウジングおよび前記配備機構に結合された変形可能な中空の針とを含むことと、
前記針を偏向器部品の針ガイドに挿入して、前記針を屈曲構成に位置決めさせることと、
前記偏向器部品の結合本体を前記遠位端部分に対して位置決めされた状態で、前記偏向器部品を前記ハウジングの前記遠位端部分に結合することとを含む、方法。
【請求項１０７】
前記挿入することは、前記屈曲構成において、前記針を約０度〜約１５度の間の角度で屈曲させることを含む、請求項１０６に記載の方法。
【請求項１０８】
前記挿入することは、前記屈曲構成において、前記針を約６度〜約１０度の間の角度で屈曲させることを含む、請求項１０６に記載の方法。
【請求項１０９】
前記挿入することは、前記屈曲構成において、前記針を約２度〜約１０度の間の角度で屈曲させることを含む、請求項１０６に記載の方法。
【請求項１１０】
前記挿入することは、前記屈曲構成において、前記針を約３度〜約８度の間の角度で屈曲させることを含む、請求項１０６に記載の方法。
【請求項１１１】
前記挿入することは、前記屈曲構成において、前記針を約４度〜約６度の間の角度で屈曲させることを含む、請求項１０６に記載の方法。
【請求項１１２】
前記針ガイドは、直線状の挿入部分と角度の付いた配備部分とを含む、請求項１０６に記載の方法。
【請求項１１３】
割り出し機構を介して、前記偏向器部品を前記挿入器の前記遠位端部分と位置合わせすることをさらに含む、請求項１０６に記載の方法。
【請求項１１４】
前記割り出し機構は、前記挿入器の前記遠位端部分にある少なくとも１つの突出部を含む、請求項１１３に記載の方法。
【請求項１１５】
前記位置合わせすることは、前記ハウジングに対して前記偏向器部品を回転させて位置合わせすることを含む、請求項１１３に記載の方法。
【請求項１１６】
前記回転させて位置合わせすることは、複数の回転位置から割り出しされた回転位置を選択することを含む、請求項１１５に記載の方法。
【発明の詳細な説明】
【背景技術】
【０００１】
緑内障は、何百万人もの人々に影響を与える眼の病気である。緑内障は、眼の前房から房水を適度に除去する眼の排液系の障害、または眼の毛様体による房水の過剰産生のいずれかに起因する眼圧の上昇に関連している。房水の蓄積とその結果生じる眼圧は、視神経と網膜に不可逆的な損傷をもたらす可能性があり、これは不可逆的な網膜の損傷と失明につながる可能性がある。
【０００２】
緑内障は、多くの異なる方法で治療することができる。治療の一方法は、房水産生を減少させるか、または眼の前房からの房水流を増加させるために、ベータ遮断薬またはプロスタグランジンなどの薬物を眼に送入することを含む。緑内障濾過手術は、緑内障の治療に一般的に使用される外科的処置である。この処置では、眼の前房から房水を排出するための経路を作成することにより、眼内にシャントを配置して眼圧を緩和することを含む。シャントは通常、眼の前房と低圧の領域との間に排液経路を作成するように眼に位置決めされる。そのような流体流路は、房水が前房を出るのを可能にする。
【０００３】
緑内障の進行の遅延における眼圧（ＩＯＰ）を低下させることの重要性は、十分に立証されている。薬物療法が失敗した場合、または許容されない場合は、外科的介入が必要とされる。前房と結膜下組織との間に流体流路を作成することにより、眼圧を下げるための様々な外科的濾過方法がある。１つの特定の方法では、眼内シャントは、シャントを保持する針を、角膜を通して、前房を横切って、そして小柱網および強膜を通して、結膜下腔に向けることによって、挿入器を用いて埋め込まれる。例えば、特許文献１、特許文献２、および特許文献３を参照のこと。それらの全体は、参照により本明細書に組み込まれる。
【０００４】
既存の挿入器は、気付かずに運動する部品を有する場合があり、処置中に常に所望のレベルの精度およびフィードバックを提供するわけではない可能性がある。処置中、操作者は、シャント挿入および針後退などの挿入プロセスの異なる段階の間を区別できない可能性がある。これにより、操作者は治療の工程を手動または視覚で確認する必要がある場合があり、注意深く油断のない操作者が処置の各工程に専念しなければならない時間が増加する。そのため、これにより手術時間が増加し、潜在的に患者に大きな心的外傷を与え、それにもかかわらず、特定のマイルストーンまたは位置が達成されていることを確信することなく、部品の触覚または視覚的認識に依存している可能性がある。
【先行技術文献】
【特許文献】
【０００５】
【特許文献１】米国特許第６，５４４，２４９号明細書
【特許文献２】米国特許出願公開第２００８／０１０８９３３号明細書
【特許文献３】米国特許第６，００７，５１１号明細書
【特許文献４】米国特許第９，５８５，７９０号明細書
【特許文献５】米国特許第８，７２１，７９２号明細書
【特許文献６】米国特許第８，８５２，１３６号明細書
【特許文献７】米国特許出願公開第２０１２／０１２３４３４号明細書
【特許文献８】米国特許出願公開第２０１２／０１９７１７５号明細書
【特許文献９】米国特許出願公開第２０１５／００１１９２６号明細書
【特許文献１０】米国特許出願公開第２０１６／０３５４２４４号明細書
【特許文献１１】米国特許出願第１５／６１３，０１８号明細書
【特許文献１２】米国特許出願第１３／３３６，８０３号明細書
【特許文献１３】米国特許出願第１２／９４６，６４５号明細書
【特許文献１４】米国特許出願第１２／６２０，５６４号明細書
【特許文献１５】米国特許出願第１２／９４６、６５３号明細書
【特許文献１６】米国特許出願第１２／９４６、５６５号明細書
【特許文献１７】米国特許出願第１１／７７１、８０５号明細書
【発明の概要】
【発明が解決しようとする課題】
【０００６】
したがって、本開示は、これらの問題を検討し、これらの問題に対する解決策を提供し、いくつかの実施形態では、シャント挿入器に特定の有利な機構を実装して、操作者の労力および手術時間を削減しながら精度を高めることができるという実現に関するものである。
【課題を解決するための手段】
【０００７】
本明細書に開示されるいくつかの実施形態は、操作者が眼内シャントを送入および／または解放することを可能にするアクチュエータを有する眼内シャント挿入器を提供する。挿入器は、摺動または回転に関わらず、摩擦トラックまたは抵抗であって、操作者がこれらに抗してアクチュエータを運動させることができる摩擦トラックまたは抵抗を提供するように構成することができる。この運動に対する抵抗により、操作者の意図した場合にのみ、挿入器がシャントを露出または解放することが保証される。さらに、この抵抗によって、操作者が、より高い精度と制御を使用して挿入器を操作するのに役立つことができる。
【０００８】
任意選択で、いくつかの実施形態は、処置における動作または工程の完了のインジケータとして機能することができる１つ以上のフィードバック部品を含むことができる。例えば、挿入器は、摺動または回転に関わらず、処置の特定の位置または工程が完了したことを操作者に知らせる信号として役立てることができる１つ以上の可聴クリックおよび／または抵抗が増加したバリアを提供することができるアクチュエータを含むことができる。いくつかの実施形態では、摺動器部品は、挿入器の第１の係合構造体またはインジケータに接触して、増加した抵抗の可聴クリックまたはバリアを作成することができる。クリックまたは抵抗が増加したバリアを超えて継続的に運動することによって、可聴クリックおよび／または抵抗が増加したバリアを作成することができる第２の、第３の、第４の、または他の係合構造体またはインジケータに向けて、操作者は摺動器部品を運動させることができ、摺動器部品が所定の位置まで進められている、および／または処置の追加の位置または工程が完了していることを操作者に知らせることができる。したがって、挿入器は、改善された精度および操作者へのフィードバックを有利に提供することができる。
【０００９】
さらに、本明細書に開示されるいくつかの実施形態は、処置中における挿入器のより大きな触覚制御および改善されたクリアランスを提供できる屈曲したシャフトまたは針を備えた挿入器を任意選択で提供できる。針は、挿入器の遠位端部分から延びることができ、針の長手方向軸が異なる軸に沿って方向を変える屈曲部を含むことができる。屈曲部は、操作者が処置中に針の先端面取り部の位置をより容易に操作および／または知覚することを可能にすることができる。こうして、いくつかの実施形態は、有利には、特定の結果が達成されたことを操作者がより容易に視覚的に確認することを可能にすることができる。例えば、針の先端面取り部を回転させることにより、操作者は眼の結膜に「テンティング」することができ、それによって結膜下標的位置への眼内シャントの配置および送入を容易にする。さらに、屈曲部は、挿入器のハウジングの長手方向軸が、ストレート針タイプの挿入器と比較して、処置の間、患者の顔からより大きな距離で離間させることができる。
【００１０】
例えば、挿入器は、ハウジングおよび摺動器部品を含むことができる。ハウジングは、遠位部分、近位部分、遠位部分と近位部分との間に延びる長手方向軸、内部空洞、およびハウジングの外面に沿って空洞内に延びる細長いスロットを含む。摺動器部品は、ハウジングに結合され、ハウジングの外面に沿って位置決めすることができる。摺動器部品は、挿入器を操作するために、細長いスロットに沿って摺動可能にすることができる。摺動器部品は、ハウジング本体のガイドチャネル内に配置されたガイドタブを含むことができる。摺動器部品はまた、ガイドタブをガイドチャネルのチャネル壁に押し付けるためにハウジング本体に押し付けるように構成された付勢部材を備えた摩擦タブを含むことができる。
【００１１】
操作者は、挿入器の軸に沿って摺動器部品を押し付けることによって挿入器を操作することができる。摺動器部品は、挿入器の配備機構を作動させて、眼内シャントを送入および解放することができる。そうするために、操作者は、摺動器部品の摩擦タブによって提供されるハウジングに対する初期摩擦力を克服しなければならない。操作者は、摺動器部品を使用して、挿入器のプランジャーを前進させて、シャントを針の管腔内に押し込むことができる。
【００１２】
挿入器の操作中、操作者は、例えば、摩擦タブが係合構造体を横切って運動するときに、ハウジングの係合構造体から触覚的または恐ろしいフィードバックを受け取ることができる。フィードバックは、挿入器内の針に対するシャントの位置に対応することができる。フィードバックは、ハウジングの不連続部によって提供することができる。
【００１３】
例えば、いくつかの実施形態では、挿入器は、ハウジング本体の不連続部に係合するように構成された付勢部材を使用して可聴信号を生成することができる。可聴信号または触覚信号は、挿入器に対する摺動器部品の位置を示すことができる、および／またはシャントまたはシャント送出のステージの位置を示すことができる。
【００１４】
主題技術のさらなる理解を提供するために含まれ、本明細書に組み込まれ、本明細書の一部を構成する添付の図面は、本開示の態様を示し、説明とともに、主題技術の原理を説明するのに役立つ。
【図面の簡単な説明】
【００１５】
【図１Ａ】いくつかの実施形態に係る、挿入器を使用して眼内シャントを眼に埋め込むための処置の概略図である。
【図１Ｂ】いくつかの実施形態に係る、眼内シャントを眼に埋め込むための挿入器の斜視図である。
【図２】いくつかの実施形態に係る、図１Ｂに示される挿入器の斜視分解図である。
【図３】いくつかの実施形態に係る、図１Ｂに示される挿入器の駆動アセンブリの斜視分解図である。
【図４Ａ】いくつかの実施形態に係る、図１Ｂに示される挿入器の摺動器部品を示す。
【図４Ｂ】いくつかの実施形態に係る、図１Ｂに示される挿入器の摺動器部品を示す。
【図４Ｃ】いくつかの実施形態に係る、図１Ｂに示される挿入器の摺動器部品を示す。
【図５】いくつかの実施形態に係る、眼内シャントを眼に埋め込むための挿入器の断面図である。
【図６Ａ】いくつかの実施形態に係る、挿入器の係合構造体の断面図である
【図６Ｂ】いくつかの実施形態に係る、挿入器の係合構造体の断面図である
【図６Ｃ】いくつかの実施形態に係る、挿入器の係合構造体の断面図である。
【図７Ａ】いくつかの実施形態に係る、直線シャフトを有する、図３に示される駆動アセンブリのスリーブマウントの斜視図である。
【図７Ｂ】いくつかの実施形態に係る、屈曲されたシャフトを有する、図３に示される駆動アセンブリのスリーブマウントの斜視図である。
【図８Ａ】いくつかの実施形態に係る、挿入器のシャフトに屈曲部を提供するための位置合わせガイドを有する挿入器の斜視図である。
【図８Ｂ】いくつかの実施形態に係る、スリーブに結合された位置合わせガイドの斜視図である。
【図８Ｃ】いくつかの実施形態に係る、スリーブに結合された位置合わせガイドの側面図である。
【図９Ａ】いくつかの実施形態に係る、別の位置合わせガイドの正面斜視図である。
【図９Ｂ】いくつかの実施形態に係る、図９Ａの位置合わせガイドの背面斜視図である。
【図１０Ａ】いくつかの実施形態に係る、保護キャップでスリーブに結合された位置合わせガイドの斜視図である。
【図１０Ｂ】いくつかの実施形態に係る、挿入器の針管腔内に受け入れられた斜角保護装置の側面断面図である。
【発明を実施するための形態】
【００１６】
以下の発明を実施するための形態では、主題技術の完全な理解を提供するために、多数の特定の詳細が説明される。主題技術は、これらの特定の詳細の一部がなくても実施できることを理解すべきである。他の例では、主題技術を不明瞭にしないように、周知の構造および技術は詳細には示されていない。
【００１７】
緑内障は、視神経が損傷し、進行性の不可逆的な失明につながる疾患である。それは通常、眼内の液体（すなわち房水）の圧力上昇に関連している。緑内障を治療しないと、視神経が永久的に損傷し、結果的に視野が失われ、失明に進展する可能性がある。一旦失われると、この損傷した視野は回復できない。
【００１８】
緑内障の状態では、眼（前房）内の房水の圧力が増加し、この結果として生じる圧力の増加は、眼の後部の血管系、特に視神経に損傷を引き起こす可能性がある。緑内障および前房内の圧力上昇につながる他の疾患の治療には、前房内の圧力を正常なレベルに緩和することが含まれる。
【００１９】
緑内障濾過手術は、緑内障を治療するために典型的に使用される外科的処置である。この処置は、眼の前房から房水を排出するための経路を作成することにより、眼球内にシャントを配置して眼圧を緩和させることを含む。シャントは通常、眼の前房と低圧の領域との間に排液経路を作成するように眼に配置される。房水排液の対象となっている、圧力が低い眼の様々な構造および／または領域には、シュレム管、結膜下腔、強膜上静脈、脈絡膜上腔、テノン内癒着腔、およびくも膜下腔を含む。シャントは、ａｂ  ｅｘｔｅｒｎｏアプローチ（例えば、結膜を通り、強膜を通って内側に入る）またはａｂ  ｉｎｔｅｒｎｏアプローチ（例えば、角膜を通り、前房を横切って、小柱網および強膜を通って入る）を使用して埋め込むことができる。例えば、結膜下腔に眼内シャントを埋め込むためのａｂ  ｉｎｔｅｒｎｏアプローチは、例えばＹｕら（特許文献１および特許文献２）およびＰｒｙｗｅｓ（特許文献３）に示されており、これらのそれぞれの内容は、参照によりその全体が本明細書に組み込まれる。
【００２０】
いくつかの方法は、眼内シャントを保持するように構成された中空シャフトを眼に挿入することを含むことができる。いくつかの実施形態では、中空シャフトは、眼内シャントを配備することができる配備装置の部品とすることができる。中空シャフトは、配備装置に結合することができるか、または配備装置自体の一部とすることができる。配備装置は、共同所有の特許文献４、特許文献５、特許文献６、および２０１０年１１月１５日に出願された特許文献７に記載されている装置などの装置を含むことができ、これらのそれぞれの内容は、参照によりその全体が本明細書に組み込まれる。
【００２１】
上記のように、従来の配備装置または挿入器は、所望のレベルの精度およびフィードバックを提供しない場合があり、追加の操作者の労力および手術時間を必要とする。本開示は、手術時間を短縮しながら、快適性、フィードバック、および精度を改善した挿入器を使用して、操作者がシャントを埋め込むことを可能にすることができる方法および装置の様々な実施形態を提供する。本明細書で使用する場合、「シャント」という用語は、特許文献１に概して記載されているタイプと同様の中空微小瘻管ならびにそれを通る１つ以上の管腔または他の流路を含む他の構造を含む。
【００２２】
いくつかの実施形態によれば、挿入器は、ａｂ  ｉｎｔｅｒｎｏまたはａｂ  ｅｘｔｅｒｎｏアプローチを介して眼内に前進させることができる。その後、シャントをシャフトから眼内に配備し、シャントが前房からシュレム管、結膜下腔、強膜上静脈、脈絡膜上腔、テノン内癒着腔、くも膜下腔、または眼の他の領域などの低圧領域内への通路を形成するようにすることができる。その後、中空シャフトを目から引き抜く。生体吸収性または永久的なチューブまたはシャントを送入および埋め込むための方法、ならびにそのような方法を実行するための埋め込み装置は、概して、特許文献８、特許文献９、特許文献１０、特許文献１１、ならびに特許文献３、特許文献１、特許文献６、および特許文献４を含む出願人の出願に開示されており、これらのそれぞれは、その全体が参照により組み込まれる。
【００２３】
いくつかの方法は、配備装置の挿入前に眼に切開を行うことによって行うことができる。しかしながら、いくつかの例では、この方法は、配備装置の挿入前に眼に切開を行うことなく行うことができる。いくつかの実施形態では、配備装置に接続されるシャフトは、鋭利な先または先端部を有する。いくつかの実施形態では、中空シャフトは針である。使用することができる例示的な針は、テルモ・メディカル・コーポレーション（メリーランド州エルキントン）から市販されている。いくつかの実施形態では、針は、中空の内部および先端面取り部の付いた先端部を有することができ、眼内シャントは、針の中空の内部に保持することができる。いくつかの実施形態では、針は、中空の内部およびトリプルグラウンドポイントまたは先端部を有することができる。
【００２４】
いくつかの方法は、小柱網、虹彩、角膜、または房水を含むがこれらに限定されない、眼の解剖学的部分または機構を除去する必要なしに行うことができる。いくつかの方法は、結膜下水疱形成または眼内炎など、実質的な眼の炎症を誘発することなく実施できる。いくつかの方法は、眼内シャントを、角膜を通して、前房を横切って、小柱網を通して、強膜内またはテノン内癒着腔内に保持するように構成された中空シャフトを挿入することにより、ａｂ  ｉｎｔｅｒｎｏアプローチを使用して達成できる。しかしながら、いくつかの方法はａｂ  ｅｘｔｅｒｎｏアプローチを使用して実行できる。
【００２５】
ａｂ  ｉｎｔｅｒｎｏアプローチを使用して実行されるいくつかの方法では、角膜を通る進入角度を変更して、テノン内癒着腔内におけるシャントの最適な配置に影響を与えることができる。中空シャフトは、角膜縁を通って入るのとは対照的に、角膜縁の上方または下方である角度で眼に挿入することができる。例えば、中空シャフトは、角膜縁の約０．２５ｍｍ〜約３．０ｍｍ上方に挿入することができる。シャフトは、角膜縁の約０．５ｍｍ〜約２．５ｍｍ上方に挿入することができる。シャフトは、角膜縁の約１．０ｍｍ〜約２．０ｍｍ上方、またはこれらの範囲のいずれかの中の任意の特定の値に挿入することもできる。例えば、中空シャフトは、角膜縁の上方に約：１．０ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、または２．０ｍｍの距離で挿入することができる。
【００２６】
さらに、いくつかの実施形態では、縁の上方の入口の角度によって提供されるように、出口部位で縁からさらに遠くにシャントを配置すると、結膜リンパ系に加えて、強膜上リンパ系ネットワークなどの房水の排液のためのより多くのリンパ管へのアクセスを提供することができる。入射角が大きいほど、テノン内癒着腔内での配置がより平坦となり、シャントの屈曲が少なくなる。
【００２７】
その全体が参照により本明細書に組み込まれる特許文献６で論じられているように、いくつかの実施形態では、眼内シャントの適切な位置決めおよび機能化を確実にするために、テノン内癒着腔内への貫入の深さは、いくつかの方法を実行する場合、重要となる場合がある。
【００２８】
いくつかの方法では、中空シャフトの遠位先端部は、周囲の眼組織のコアリング、除去、または主要な組織歪みを引き起こすことなく、強膜およびテノン内癒着腔を突き刺すことができる。その後、シャントがシャフトから配備される。好ましくは、シャントが中空シャフトから配備される前に、（遠位先端部ではなく）中空シャフトの遠位部分が、テノン内癒着腔に完全に入る。
【００２９】
いくつかの実施形態によれば、中空シャフトは、トリプルグラウンドポイントを有する針などの平坦な先端面取り針を含むことができる。先端部の先端面取り部は、水平のスリットを作ることによって、最初に強膜を貫通してテノン内癒着腔内に突き刺すことができる。いくつかの方法では、平らな先端面取り部全体がテノン内癒着腔内に貫入し、組織を広げて完全な円形の直径に開くように、針をさらに進めることができる。
【００３０】
さらに、いくつかの方法の態様によれば、テノン内のチャネルは、開口部の周りの材料が十分に引き伸ばされて、そのゾーンでのシャントの狭窄が回避されるように、針の平坦な先端面取り部分によって開くように促すことができ、こうして、狭窄または収縮によってシャントが機能しなくなることを防止する。テノン内癒着腔に平坦な先端面取り部が完全に入ると、局所的な領域に小さな歪みと外傷が生じる。しかしながら、一旦シャントが眼内に配置されると、この領域は最終的にシャントを囲み、シャントに適合する。
【００３１】
いくつかの実施形態では、挿入器は、片手で操作できる装置として機能し、操作者が、フックなどの眼を保持する固定装置にもう片方の手を置くことができるようにすることができる。これにより、手術の制御と配置の精度が向上し、手術を容易にすることができる。
【００３２】
眼１２を治療するための処置の図が図１Ａに示されている。図１Ａは、眼１２を保持するためのフック１４と、眼内シャントを眼内に導入するための挿入器１００との使用を示している。
【００３３】
図１Ｂ〜図９は、図１Ａに示される挿入器１００のさらなる詳細を示す。挿入器１００は、片手を使用して作動させることができ、こうして、操作者による挿入器の使用を容易にする。挿入器１００は、ハウジング１０２、針アセンブリ１０４、および摺動器部品１０６を含むことができる。図１Ｂに示されるように、挿入器１００は、摺動器部品１０６がガイドチャネル１１１を介してハウジング１０２に結合され、ハウジング１０２の細長いスロット１１０に沿って摺動可能となるように構成することができる。摺動器部品１０６は、針アセンブリ１０４の部品の運動を作動させるために、操作者によって選択的に運動可能とすることができる。
【００３４】
例えば、摺動器部品１０６がスロット１１０に沿って遠位に（すなわち、針アセンブリ１０４に向かう方向に）運動するとき、摺動器部品１０６は、シャント（図示せず）を針アセンブリ１０４内で前進させ、いくつかの実施形態では、針アセンブリ１０４から解放させることをもたらすか、または引き起こすことができる。本明細書でさらに論じられるいくつかの実施形態によれば、摺動器部品１０６の運動は、針アセンブリ１０４の部品の並進および／または回転運動をもたらすことができる。摺動器部品１０６の摺動運動は回転運動に変換することができ、これはその後、挿入器１００の長手方向軸に沿った運動に変換することができる。この革新的で複雑な運動変換機構の利点の１つは、挿入器の実施形態がコンパクトなアセンブリ内でその部品の正確な測定された運動を提供可能にすることである。
【００３５】
図２に示すように、針アセンブリ１０４は、針部品１２０、プランジャー１２２、およびスリーブ部品１２４を含むことができる。針部品１２０は、２５ＧＡまたは２７ＧＡの針を含むことができる。プランジャー１２２は、挿入器１００の長手方向軸１７８に沿って針部品１２０の管腔内を摺動可能に運動可能とすることができる。さらに、針部品１２０は、長手方向軸１７８に沿ってスリーブ部品１２４の管腔内を摺動可能に運動可能とすることができる。針部品１２０およびプランジャー１２２のそれぞれは、ハウジング１０２内に配置された駆動アセンブリ１３０のそれぞれの駆動部品に結合することができる。挿入器１００は、組み立てられた状態にあるとき、針部品１２０、プランジャー１２２、およびスリーブ部品１２４が、長手方向軸１７８に沿ってまたは同軸に位置合わせされるように構成することができる。プランジャーを作動させ、挿入器の針を引き抜くためのいくつかの駆動アセンブリは、特許文献１２、特許文献１３、特許文献１４、特許文献１５、特許文献１６、特許文献１７、および特許文献４に開示されており、これらの全体は参照により本明細書に組み込まれる。
【００３６】
図２および図３を参照すると、針部品１２０、プランジャー１２２、およびスリーブ部品１２４は、駆動アセンブリ１３０および／またはハウジング１０２に動作可能に結合することができる。例えば、針部品１２０は、針マウント１４０に結合することができる。針マウント１４０は、針部品１２０と針マウント１４０との間の回転および長手方向の運動が制限または防止されるように、針部品１２０の近位端部分に固定して結合することができる。針マウント１４０は、挿入器１００が組み立てられたときに、ハウジング１０２の遠位端部分内に封入することができる。さらに、図３に示され、以下でさらに説明されるように、針マウント１４０は、駆動アセンブリ１３０の針ドライバ１６４に（および図示の実施形態では、回転調整部品３００を介して）結合することができる。
【００３７】
さらに、図３に示されるように、プランジャー１２２は、プランジャーマウント１４２に結合することができる。プランジャーマウント１４２は、プランジャー１２２の近位端部分または中央部分に固定的に結合され、プランジャーマウント１４２に対するプランジャー１２２の回転および長手方向の運動を制限または防止することができる。さらに、図３に示され、以下でさらに説明されるように、プランジャーマウント１４２は、駆動アセンブリ１３０のプランジャードライバ１６２に結合することができる。
【００３８】
さらに、スリーブ部品１２４は、スリーブマウント１４４に結合することができる。スリーブマウント１４４は、スリーブ部品１２４とスリーブマウント１４４との間の回転および長手方向の運動を防止するように、スリーブ部品１２４の近位端部分に結合することができる。以下で論じるように、スリーブマウント１４４は、ハウジング１０２の一部分１４８に結合することができる。
【００３９】
上記のように、針部品１２０、プランジャー１２２、およびスリーブ部品１２４は、駆動アセンブリ１３０および／またはハウジング１０２に動作可能に結合することができる。そのような結合は、針マウント１４０、プランジャーマウント１４２、およびスリーブマウント１４４を介して起こり得る。次に、針マウント１４０、プランジャーマウント１４２、およびスリーブマウント１４４は、駆動アセンブリ１３４に係合する１つ以上の駆動部品に、そしてハウジング１０２に結合することができる。
【００４０】
いくつかの実施形態によれば、駆動アセンブリ１３０は、針部品１２０およびプランジャー１２２に結合されて、ハウジング１０２に対する針部品１２０およびプランジャー１２２の長手方向軸１７８に沿った運動を作動させることができる。例えば、駆動アセンブリ１３０は、ハウジング１０２内で回転または摺動するように構成することができる。駆動アセンブリ１３０は、長手方向軸１７８に沿って長手方向または軸方向の力を、独立して、または同時に、針部品１２０および／またはプランジャー１２２に伝達することができ、その結果、長手方向軸１７８に沿ってハウジング１０２に対する針部品１２０およびプランジャー１２２の運動をもたらす。
【００４１】
本明細書で論じられるように、摺動器部品１０６の動作は、駆動アセンブリ１３０の動作をもたらすことができ、それにより、ハウジング１０２に対する駆動アセンブリ１３０の部品の動作をもたらすことができる。いくつかの実施形態は、針部品１２０およびプランジャー１２２、したがってシャントを駆動または直線運動させるために、スライダー部品１０６がハウジング１０２に対して長手方向軸１７８に沿って長手方向に運動可能または摺動可能であり得るように構成することができる。
【００４２】
図３に示されるように、駆動アセンブリ１３０は、駆動部品１６０、プランジャードライバ１６２、および針ドライバ１６４を含むことができる。いくつかの実施形態では、長手方向軸１７８に沿った摺動器部品１０６の長手方向または直線動作は、駆動アセンブリ１３０の駆動部品１６０の回転をもたらすように変換することができ、これは次いで、ハウジングに対して長手方向軸１７８に沿った針部品１２０およびプランジャー１２２の長手方向または直線動作をもたらすように変換することができる。いくつかの実施形態によれば、長手方向軸１７８に沿った部品の動作は、長手方向軸１７８に対して平行とすることができる。
【００４３】
図３はまた、駆動部品１６０の一実施形態を示す。駆動部品１６０は、摺動器部品１０６の対応する突出部（図示せず）と係合するように構成することができる溝１７０を含むことができる。さらに、駆動部品１６０はまた、プランジャードライバ１６２および針ドライバ１６４の対応する突出部に摺動式に係合するように構成され得る第１および第２の駆動溝１７２、１７４を含むことができる。こうして、摺動器部品１０６は、（図４Ｂに示される）突出部４３０を含むことができ、プランジャードライバ１６２は、突出部１８２を含むことができ、針ドライバ１６４は、突出部１８４を含むことができる。スロットおよび突出部のこの配置は、摺動器部品１０６から針部品１２０およびプランジャー１２２のそれぞれの１つへの動作の伝達を容易にすることができる。さらに、プランジャードライバ１６２および針ドライバ１６４は、駆動部品１６０内に着座したときに、駆動部品１６０の内側ガイド面１９８に接触して摺動する丸い本体を含むことができる。
【００４４】
図４Ａ〜図４Ｃは、いくつかの実施形態に係る、図１Ｂに示される挿入器１００の摺動器部品１０６を示す。図４Ａは、摺動器部品１０６の斜視図を示す。摺動器部品１０６は、近位端部分４０６および遠位端部分４０４を有する摺動器本体４０２を含むことができる。摺動器本体４０２は、略半円筒形状を有することができる。近位端部分４０６および遠位端部分４０４は、使用中に操作者の親指または指による安全で人間工学的なグリップを提供するために、摺動器部品１０６から半径方向に突出する隆起した遠位境界または縁部４０５および隆起した近位境界または縁部４０７を含むことができる。
【００４５】
摺動器部品１０６は、１つ以上のガイドタブ４１０を含むことができる。ガイドタブ４１０は、遠位端部分４０４および近位端部分４０６に配置することができる。例えば、ガイドタブ４１０は、摺動器部品１０６の内部領域４１２に向かって内向きに延びることができる。摺動器部品１０６の内部領域４１２は、例えば、挿入器１００の一部を中に受け入れることによって、挿入器１００に結合されるように構成することができる略半円筒形状または空洞を含むことができる。挿入器１００に結合されるとき、ガイドタブ４１０は、ハウジング１０２のガイドチャネル１１１内に配置されて、摺動器部品１０６をハウジング１０２に結合することができる。こうして、本明細書に記載されているように、摺動器部品１０６のガイドタブ４１０は、ガイドチャネル１１１内に保持することができ、それにより、ハウジング１０２に対するスライダー部品１０６の半径方向の運動を抑制し、同時にハウジング１０２に沿ったスライダー部品１０６の軸方向または長手方向の運動を可能にする。
【００４６】
任意選択で、摺動器部品１０６は、摺動器部品１０６の対向する面または縁部から内部領域４１２内に半径方向内向きに延びる複数のガイドタブ４１０を含むように構成することができる。例えば、図４Ｂに示されるように、摺動器部品１０６は、摺動器部品１０６の内側縁部４１４から半径方向内向きに延びる一対のガイドタブ４１０を含むことができる。ガイドタブ４１０は、内側縁部４１４または内部領域４１２の内面に沿って互いに約９０度〜約１８０度の間で離間することができる。
【００４７】
さらに、いくつかの実施形態では、ガイドタブ４１０は、摺動器部品１０６がハウジング１０２上およびガイドチャネル１１１内に押し込まれるかまたはスナップされることを可能にするように先端面取り部を付けることができる。例えば、１つ以上のガイドタブ４１０は、内部領域４１２から見て外方を向く先端面取り部分を含むことができる。こうして、摺動器部品１０６がハウジング１０２に押し付けられると、ガイド部品４１０がガイドチャネル１１１内の所定の位置にスナップするまで、摺動器部品１０６はわずかに撓んで、内部領域４１２を開くことができる。
【００４８】
図４Ｂは、摺動器部品１０６の底面図を示す。図４Ｂを参照すると、突出部４３０は、摺動器部品１０６の本体４０２と一体的に形成することができる。しかしながら、いくつかの実施形態によれば、突出部４３０はまた、後で摺動器部品１０６の本体４０２に取り付けられる別個の部品として形成することもできる。本明細書で説明するように、摺動器部品１０６の動作は、突出部４３０を介して駆動アセンブリ１３０に伝達され、それにより、ハウジング１０２に対して駆動アセンブリ１３０の部品の動作をもたらすことができる。いくつかの実施形態では、突出部４３０は、摺動器部品１０６の近位端部分４０６に配置することができる。いくつかの実施形態では、突出部４３０は、摺動器部品の遠位端部分４０４に配置することができる。いくつかの実施形態では、突出部４３０は、近位端部分４０６と遠位端部分４０４との間に配置することができる。
【００４９】
図４Ｃは、摺動器部品１０６の上面図を示す。図４Ｂおよび４Ｃを参照すると、摩擦タブ４２０は、摺動器部品１０６の本体４０２と一体的に形成することができる。本明細書で使用されるとき、「一体的に形成される」は、単一の連続した部品またはピースとして形成されることと定義できる。そのような部品は、単一の連続した部品として射出成形するか、後で機械加工またはその他の方法で処理して単一の連続した材料から共に結合される様々な機構を作成する単一パーツとして開始できる。例えば、射出成形またはレーザービーム加工などのプロセスを通じて、摩擦タブ４２０は、スロット４２２を作成することにより、形成することができ、スロット４４２は、それにより摩擦タブ４２０の形状を画定し、摩擦タブ４２０が本体４０２に対して運動することを可能にする。摩擦タブ４２０は、例えば、カンチレバー接続によって、またはピボットまたは取り付け点４２４を介して、本体４０２に取り付けることができる。取り付け点４２４は、サイクル疲労強度を改善するために強化されるか、または追加の本体材料を含むことができる。いくつかの実施形態では、摩擦タブ４２０は、後で摺動器部品１０６の本体４０２に取り付けられる別個の部品として形成することができる。
【００５０】
図４Ｂに示すように、摩擦タブ４２０は、本体４０２の隣接部分を超えて半径方向に延びる付勢部材または摩擦突出部４２６を含むことができる。突出部４２６は、内部領域４１２に向かって、または内部領域４１２内に半径方向内向きに延びることができる。突出部４２６は、先細または先端面取りされた形状とすることができ、摺動器部品１０６が、ハウジング１０２のノッチ、鋸歯状の縁、スロット、突出部、または隆起部などの１つ以上の係合構造体を一方向に運動し、反対方向の方向に抵抗することを可能にする。
【００５１】
例えば、突出部４２６は、摺動器部品１０６の内面に対して鈍角で延び、遠位境界または縁部４０５に面する、偏向を促進する遠位面を含むことができる。そのため、いくつかの実施形態では、摩擦タブ４２０は、摺動器部品１０６の本体に対して運動可能または偏向可能とすることができ、突出部４２６の遠位面は、それが、ハウジング１０２上に形成された係合構造体の上を軸方向に摺動するときに、半径方向の偏向を開始可能にすることができる。このような構成は、図６Ａの側面図に示されている。したがって、突出部４２６の遠位面は、ハウジング１０２に沿った摺動器部品１０６の遠位動作を可能にするか、または容易にするように構成することができる。
【００５２】
さらに、突出部４２６は、摺動器部品１０６の内面から垂直に、または摺動器部品１０６の内面に対してある角度で（例えば、突出部の場合は鋭角で、またはノッチの場合は鈍角で）延びる逆転防止近位面を含むことができる。したがって、突出部４２６の近位面は、ハウジング１０２に沿った摺動器部品１０６の近位動作を捕獲または制限するように構成することができる。
【００５３】
いくつかの実施形態では、ハウジング１０２の係合構造体は、摺動器部品１０６がハウジング１０２に沿って遠位方向に前進するときに突出部４２６と最初に接触する係合構造体の近位対向部分に沿って、丸みを帯びた形状または角度の付いた（例えば、ハウジング１０２の外面４４０から鈍角を延ばす）形状などの偏向を促進する断面輪郭を含むことができる。さらに、いくつかの実施形態では、係合構造体の近位対向部分と遠位対向部分の両方は、偏向を促進する断面輪郭を含むことができる。
【００５４】
任意選択で、ハウジングの係合構造体は、逆転防止断面輪郭を含むことができる。例えば、係合構造体は、ハウジング１０２の外面４４０から垂直に、またはある角度で（例えば、突出部の場合は鈍角で、またはノッチの場合は鋭角で）延びる縁部を含むことができる。いくつかの実施形態では、係合構造体の遠位対向部分は、逆転防止断面輪郭を含むことができる。こうして、係合構造体の遠位対向部分は、突出部４２６の近位面に引っ掛かるか、または係合して、ハウジング１０２に沿った摺動器部品１０６の近位の動作を制限することができる。また、いくつかの実施形態では、係合構造体の近位対向部分は、偏向を促進する断面輪郭を含むことができ、係合構造体の遠位対向部分は、逆転防止断面輪郭を含むことができる。
【００５５】
任意選択で、本明細書でさらに説明するように、突出部４２６および／または係合構造体は、操作者に可聴および／または触覚フィードバックを提供するように成形することができる。当業者によって理解されるように、スナップまたはクリックは、摩擦タブ４２０を偏向させ、摩擦タブ４２０の解放を迅速に可能にし、ハウジング１０２の外面４４０と接触させることによって作成することができる。これは、摩擦タブ４２０の突出部４２６が迅速に半径方向に運動してハウジング１０２の外面４４０と接触することを可能にする垂直部分を係合構造体が含む場合を含む多様な方法で達成することができる。例えば、係合構造体の遠位対向部分は、ハウジング１０２の外面４４０に対して垂直に延びることができ、それによって、係合構造体上の摺動器部品１０６の遠位前進は、突出部４２６がハウジング１０２の外面４４０に対して半径方向内側にスナップし、それにより、可聴および／または触覚フィードバックをオペレータに提供することを可能にする。
【００５６】
図５を参照すると、挿入器１００の一実施形態が、ガイドチャネル１１１内のガイドタブ４１０に係合することにより、ハウジング１０２に取り付けられた摺動器部品１０６と共に示されている。いくつかの実施形態では、ガイドチャネル１１１は、ハウジング１０２の反対側に配置されている。例えば、ガイドタブ４１０および／またはガイドチャネル１１１は、摺動器部品１０６および／またはハウジング１０２に沿って、互いに約１８０度離れる、互いに１８０度未満離れる、互いに１７０度未満離れる、互いに１６０度未満離れる、または互いに１５０度未満離れるような異なる角度位置に配向させることができる。
【００５７】
摺動器部品１０６がガイドチャネル１１１に係合すると、突出部４２６は、ハウジング１０２の一部と接触することができる。例えば、突出部４２６は、スロット１１０に隣接するハウジング１０２と接触することができる。いくつかの実施形態では、突出部４２６は、スロット１１０の反対側でハウジング１０２に接触するように位置決めすることができる。
【００５８】
突出部４２６は、ハウジング１０２と接触するように付勢することができる。いくつかの実施形態では、突出部４２６は、ハウジング１０２と接触し、例えば、摩擦タブ４２０の長さに沿ってまたは取り付け点４２４で変形することによって、摩擦タブ４２０をハウジング１０２から半径方向に離れるように押し付けるまたは偏向させることができる。いくつかの実施形態では、摩擦タブ４２０の本体および／または取り付け点４２４は、この撓みまたは変形に抵抗し、摩擦タブ４２０および突出部４２６を介してハウジング１０２に対して反力を提供することができる。いくつかの実施形態では、取り付け点４２４および摩擦タブ４２０を付勢して、付勢力を提供することができる。この付勢力は、摺動器部品１０６をハウジング１０２から半径方向に遠ざけることができ、それにより、摺動器部品１０６のガイドタブ４１０がガイドチャネル１１１の内側に押し付けられるようにする。こうして、ガイドタブ４１０は、ハウジング１０２に対する摺動器部品１０６の半径方向の外向きの動作を制限するが、摩擦タブ４２０を介して加えられる付勢力は、摺動器部品１０６とハウジング１０２との間の摩擦を増加させることができる。したがって、いくつかの実施形態では、 摺動器部品１０６は、ハウジング１０２上における摺動器部品１０６との間の摩擦を克服するのに十分な軸方向の力が摺動器部品１０６に対して加えられない限り、ハウジング１０２に沿って静止したままである傾向があり得る。
【００５９】
例えば、図５に示されるように、摺動器部品１０６がハウジング１０２から半径方向に押し離されると、ガイドタブ４１０は、ガイドチャネル１１１のチャネル壁１１１ａに向かって運動する。したがって、静止状態では、摺動器部品１０６は、ガイドタブ４１０とチャネル壁１１１ａとの間で摩擦的に保持され、摩擦タブ４２０の突出部４２６は、ハウジング１０２の外面に対して摩擦的に保持される。有利には、この配置はまた、ハウジング１０２に対する摺動器部品１０６内の半径方向の遊びを最小限に抑える。
【００６０】
また、摩擦タブ４２０およびガイドタブ４１０をハウジング１０２に対して係合させることにより、摺動器部品１０６とハウジング１０２との間の摩擦力が高められる。これにより、摺動器部品１０６を所望の位置または初期位置に保持可能とすることができ、挿入器１００の運送および取り扱い中に摺動器部品１０６が不注意に運動するのを防ぐことができる。したがって、摺動器部品１０６を運動させて、これにより挿入器１００を操作するために、ハウジング１０２に対する摺動器部品１０６の摩擦力は、操作者によって加えられる計画的で意図的な軸力に打ち克たなければならない。
【００６１】
図６Ａを参照すると、摩擦タブ４２０は、挿入器１００の操作中に、触覚および可聴フィードバックを操作者にさらに提供することができる。操作中に、摺動器部品１０６がハウジング１０２に対して前進すると、摩擦タブ４２０、より具体的には、摩擦突出部４２６は、ハウジング１０２上に形成された係合構造体１０３の上を通過することができる。各係合構造体１０３は、ノッチ、鋸歯状の縁、スロット、突出部、または隆起部などのハウジング１０２の外面４４０に不連続部を含むことができる。係合構造体１０３は、挿入器１００の操作の異なる段階、またはハウジング１０２またはスロット１１０に沿った摺動器部品１０６の位置を反映するように割り出しすることができる。ハウジング１０２は、１つまたは多くの係合構造体１０３を含むように構成することができる。さらに、係合構造体は、（単一のグループまたは複数のグループとして）共にグループ化されるか、またはハウジング１０２に沿って離間させることができる。
【００６２】
例えば、図６Ａ〜図６Ｃに示されるように、係合構造体１０３は、摺動器部品１０６がその初期位置から離れるように運動するために、摩擦タブ４２０がハウジング１０２内で（３つの係合構造体１０３のグループとして示されているが、第１の係合構造体１０３ａは、単に単一の係合構造体１０３または２つの係合構造体１０３を含むこともできる）第１の係合構造体１０３ａに対して接触するように構成することができる。同様に、摺動器部品１０６がその全移動経路に沿った特定の位置に達する直前（例えば、移動経路に沿った途中、またはシャント挿入器が眼内でシャントを露出した後、および摺動器の継続的な前進が挿入器の針をハウジング内に引き戻し始める直前）、摩擦タブ４２０は、（３つの係合構造体１０３のグループとして示されるが、第２の係合構造体１０３ｂは、単に単一の係合構造体１０３または２つの係合構造体１０３を含むこともできる）第２の係合構造体１０３ｂに対して接触することができる。最後に、摩擦タブ４２０は、摺動器部品１０６がシャントを解放するのに十分に前進すると、（３つの係合構造体１０３のグループとして示されているが、第３の係合構造体１０３ｃは、単に単一の係合構造体１０３または２つの係合構造体１０３を含むこともできる）第３の係合構造体１０３ｃに対してクリックすることができる。フィードバックは、挿入器１００が異なる操作を実行していること、挿入器１００のシャントまたは一部が特定の位置に到達したこと、および／または異なる操作が異なる作動力を必要とし得ることを知らせるために使用することができる。
【００６３】
こうして、摺動器部品１０６は、ハウジング１０２に沿って運動し、ハウジング１０２に対する摺動器部品１０６の位置および／またはシャントの位置またはシャント送入の段階に関して、触覚および／または可聴フィードバックを操作者に提供することができる。いくつかの実施形態では、シャントが最初に挿入器の針から露出されたときに、操作者にフィードバックを提供することが有利な場合がある。さらに、挿入器が（針の外側にまだ完全に露出していない可能性のある）シャントを解放したときに、操作者にフィードバックを提供することも有利な場合がある。
【００６４】
触覚信号および／または可聴信号のタイプ、周波数、および／または強度は、摺動器部品１０６の位置、シャント、および／またはシャント送入の状態に応じて変化する可能性がある。
【００６５】
触覚信号または可聴信号は、摺動器部品の最初の運動、シャントの最初のシャント露出、シャントの完全な解放前（例えば、スリーブがその完全に伸びた位置から途中まで引っ込んでいる場合）の位置、および／またはシャントが完全に解放されて針が完全に引っ込んだときに摺動器部品の最終位置に到達する前の位置（または、その全体が参照により本明細書に組み込まれる特許文献４で説明されているような他の位置）などの特定のマイルストーンが達成された場合にのみ提供することができる。さらに、触覚フィードバックが特定のマイルストーンでのみ提供され、一方、可聴フィードバックが他のマイルストーンで提供されるいくつかの実施形態を提供することができる。例えば、触覚または可聴フィードバックのいずれか一方は、最初の段階で提供することができ、一方、触覚または可聴フィードバックの他方は、処置の後の段階で提供することができる。さらに、触覚または可聴フィードバックのいずれか一方は、最初と最後の摺動器部品の運動をマークするために、初めと終わりで提供することができ、一方、触覚または可聴フィードバックの他方は、シャントが最初に露出したとき、およびシャントの完全な解放の直前に提供される。上記の様々なオプションと変形を提供することができる。
【００６６】
任意選択で、ハウジング１０２は、操作者に連続的で適度な触覚または可聴フィードバックを提供して、摺動器部品１０６が前進していることを示す複数の係合構造体１０３を含むことができる。
【００６７】
したがって、いくつかの実施形態によれば、係合構造体１０３の形状をハウジング１０２の長さに沿って変化させて、触覚または可聴フィードバックのタイプ、周波数、および／または強度を変化させることを提供する、および／または摺動器部品を運動させるために加えられるのに必要な操作者の力に対する抵抗の程度を高めることができる。
【００６８】
例えば、係合構造体１０３によって提供される抵抗の程度に関して、いくつかの実施形態では、係合構造体１０３は、シャントが露出され、最終的に挿入器から解放されるにつれて、操作者が連続的により高い程度の抵抗に打ち克つことを要求するように構成することができる。こうして、係合構造体１０３のサイズ（例えば、高さまたは軸方向の長さ）は、遠位方向に増大させることができ、それにより、摺動器部品の遠位前進に対して増大する程度の抵抗を作成することができる。
【００６９】
係合構造体１０３は、少なくとも１つのノッチ、鋸歯状の縁、スロット、突出部、隆起部、または他の変質された表面を画定して、触覚および／または可聴信号またはフィードバックを操作者に提供することができる。図６Ａ〜図６Ｃを参照すると、係合構造体１０３の様々な機構が示されている。図６Ａに示すように、係合構造体１０３は、偏向を促進する表面および／または逆転防止表面を含むことができる外側または断面輪郭５０２を有する１つ以上のノッチ、鋸歯状の縁、スロット、突出部、または隆起部を含むことができる。係合構造体１０３の半径５０４および間隔５０６は変更することができる。特に、係合構造体１０３の半径５０４は、より強いフィードバックを提供するか、または摺動器部品１０６の動作に抵抗するように変更することができる。
【００７０】
図６Ｂに示されるように、係合構造体１０３は、係合構造体１０３の先端部または高さからの実質的な降下を提供する垂直な遠位対向表面５０５を含むことができる。いくつかの実施形態では、摩擦タブ４２０が前側または近位側で輪郭５０２に乗り上げることが許可され、その後、摩擦タブ４２０が、ハウジング１０２に対して下向きまたは半径方向内向きに跳ね、スナップし、またはクリックして、可聴および／または触覚信号を提供するので、表面５０５は、聴覚機能を提供することができる。
【００７１】
いくつかの実施形態によれば、輪郭５０２の半径または角度または係合構造体１０３の高さを変更して、摺動器部品１０６が係合構造体１０３を横切るときに、異なる音、触覚信号を提供するか、または摺動器部品１０６に対する摺動抵抗を増加させることができる。
【００７２】
任意選択で、係合構造体１０３が共にグループ化されるとき、係合構造体１０３間の間隔は、摩擦タブ４２０の聴覚機構からの可聴信号の発生頻度を変化させるために変更することができる。
【００７３】
図６Ｃに示されるように、係合構造体１０３は、先細ピークを有する断面輪郭５０２を含むことができる。先細ピークは、図６Ａおよび図６Ｂに示される隆起部または鋸歯状構造の機構と比較して、異なる可聴および／または触覚フィードバックを提供することができる。図６Ａおよび図６Ｂに示されている構造と同様に、先細ピークの高さおよび間隔を変更して、所望の可聴信号または触覚信号を提供することができる。
【００７４】
いくつかの実施形態では、異なる係合構造体１０３は、異なる機構を利用して、操作者に異なる信号を提供することができる。いくつかの実施形態では、単一の係合構造体１０３は、図６Ａ〜図６Ｃに記載されている機構の組み合わせを利用することができる。
【００７５】
図示されるように、図７Ａは、図２の実施形態において同様に図示され論じられたように、直線状のスリーブ部品１２４に結合されたスリーブマウント１４４の斜視図である。しかしながら、スリーブ部品はまた、図７Ｂに示すように、屈曲部を含むように構成することができる。図７Ｂは、わずかな湾曲部または屈曲部２９０を有するスリーブ部品１２４ａを示す。屈曲部２９０は、スリーブマウント１４４に隣接し、挿入器１００の長手方向軸に対して約３度〜約３０度の間、約４度〜約１５度の間、約５度〜約１３度の間、または約８度の範囲内で長手方向軸１７８からのスリーブ部品１２４ａの軸２９３の角度偏差２９２を提供することができる。
【００７６】
スリーブ部品１２４ａの屈曲部は、挿入器が頬骨の上方に位置決めされている位置から挿入器が眼に近づく場合などに、眼の領域への接近性を改善することができる。
【００７７】
また、図示されるように、スリーブ部品１２４ａの挿入部または遠位端部分２９４は、実質的に直線状とすることができ、一方、スリーブ部品１２４ａの配備部または近位端部分２９６は、湾曲部または屈曲部を含むことができる。さらに、いくつかの実施形態では、遠位端部分２９４および近位端部分２９６は両方とも、屈曲部を含むか、または間に屈曲部が配置された直線状とすることができる。近位端部分２９６は、スリーブ部品１２４ａの全長の約４分の１〜約半分とすることができる。いくつかの実施形態では、近位端部分２９６の長さは、スリーブ部品１２４ａの長さの約３分の１とすることができる。したがって、いくつかの実施形態では、遠位端部分２９４は、スリーブ部品１２４ａの長さの約半分〜約４分の３とすることができ、いくつかの実施形態では、スリーブ部品１２４ａの長さの約３分の２とすることができる。そして有利なことに、スリーブ部品１２４ａの遠位端部分２９４は、眼に入るスリーブ部品１２４ａの全体が実質的に直線状となるように十分な長さとすることができる。
【００７８】
スリーブ部品１２４ａは、本明細書に開示される処置の実施形態を実行する際の典型的な曲げ応力に耐えることができる剛性構造を含むことができるが、針部品１２０は、針部品１２０のスリーブ部品１２４ａ内への近位引き込み中に偏向可能な可撓性シャフトから作製することができる。
【００７９】
こうして、スリーブ部品１２４ａの屈曲部２９０に沿って延びる針部品１２０の近位部分は、スリーブマウント１４４の近位のまたは隣接するスリーブ部品１２４ａ内に近位に引き込むことができる。そのような動作の後、針部品１２０の近位部分は屈曲されるが、針部品１２０が針部品１２０の直線部分または挿入器内の他の部品内に近位に引っ張られると、針部品１２０の同じ部分は、撓み直線状になることができる。また、スリーブ部品１２４ａの遠位端部分にある（したがって、直線構成にある）針部品１２０の部分は、針部品１２０がスリーブ部品１２４ａの屈曲部２９０を通して近位に引き込められると、湾曲または屈曲構成に撓むまたは偏向することができる。
【００８０】
したがって、可撓性または順応性のある針部品１２０と組み合わせて弓形または屈曲スリーブ部品１２４ａを使用することにより、挿入器のいくつかの実施形態は、眼の領域への改善された接近性を提供可能にすることができる。
【００８１】
いくつかの実施形態は、本出願人の特許文献７に開示されるスリーブ構造および使用方法の態様を実施することができ、その全体は参照により本明細書に組み込まれる。
【００８２】
図８Ａ〜図１０Ａを参照すると、いくつかの実施形態では、シャフトまたは針部品１２０は、本明細書で論じられるいくつかの理由のために屈曲部を含むことが望ましい場合がある。いくつかの実施形態では、屈曲部は、約１度〜約２０度、約２度〜約１８度、約３度〜約１６度、約４度〜約１４度、約３度〜約１６度、約５度〜約１２度、約６度〜約１０度の間、または約１度、約２度、約３度、約４度、約５度、約６度、約７度、約８度、約９度、約１０度、約１１度、約１２度、約１３度、約１４度、約１５度、約１６度、約１７度、約１８度、約１９度、または約２０度とすることができる。
【００８３】
任意選択で、いくつかの実施形態では、針部品１２０は、屈曲構成で保持することができる。いくつかの実施形態によれば、スリーブ部品１２４は、取り外し可能または後付け可能な端部部品、偏向器部品、または位置合わせガイド６０２を使用して、直線状におよび／または選択的に角度付けまたは屈曲させることができる。いくつかの実施形態では、挿入器１００は、挿入器１００に結合された、またはスリーブ部品１２４上に配置された位置合わせガイド６０２と共に送入することができる。
【００８４】
図８Ａを参照すると、位置合わせガイド６０２は、取り付け部分６０４に結合された中空ガイドシャフト６０３を含むことができる。取り付け部分６０４は、挿入器１００のハウジング１０２に対して位置合わせガイド６０２を回転的に配向させるために、キー止めまたは割り出すことができる。例えば、取り付け部分６０４は、屈曲方向を、および／または挿入器１００のハウジング１０２の長手方向軸に対して針の屈曲方向を設定するために、所望の角度または回転配向で位置合わせガイド６０２をハウジング１０２に結合するように機能することができる。
【００８５】
いくつかの実施形態では、中空ガイドシャフト６０３は、スリーブ部品１２４および針部品１２０の一部の上に配置することができる。ガイドシャフト６０３は、本明細書で説明した角度の付いたスリーブ部品の角度と同様の角度を有するか、または角度を決定することができる。例えば、位置合わせガイド６０２は、スリーブ部品１２４および針部品１２０を屈曲部６９０で屈曲させ、挿入器１００の長手方向軸１７８からのガイドシャフト６０３の軸６９３の角度偏差６９２を、挿入器の長手方向軸に対して約０度〜約３０度の間、約０度〜約２０度の間、約０度〜約１５度の間の範囲内で、または約８度で提供することができる。
【００８６】
こうして、いくつかの実施形態では、操作者は、挿入器に位置合わせガイドを適用することによって挿入器の針を修正し、それにより針を所望の角度配向に屈曲させることができる。位置合わせガイドは、角度配向が異なる一組の位置合わせガイドの一部として提供できる。位置合わせガイドは、任意の既存の挿入器に後付け可能とすることができる。さらに、位置合わせガイドは、挿入器に対して回転方向および長手方向に位置合わせガイドにしっかりと係合するために、挿入器の遠位端部分と嵌合するように構成することができる。
【００８７】
例えば、いくつかの実施形態では、その全体が参照により本明細書に組み込まれる特許文献４で論じられ示されているように、面取り部が強膜から結膜を押し出し始めるまで、操作者は針を回転させることができる。結膜の「テンティング」と呼ぶことができるこの処置では、結膜と針の面取り部に隣接する強膜との間に小さな腔または間隙を作成できる。結合因子をテンティングすることによって腔が作成されると、針から腔にシャントを進めることができる。その結果、結膜が押し出され、結膜下腔へのシャントの前進をすぐに妨げないため、シャントを腔内に押し込むのが実質的に容易になる。
【００８８】
また、いくつかの実施形態では、ガイドシャフト６０３の挿入または遠位端部分６９４は、実質的に直線とすることができ、一方で、ガイドシャフト６０３の配備または近位端部分６９６は、湾曲部または屈曲部を含むことができる。さらに、いくつかの実施形態では、遠位端部分６９４および近位端部分６９６は両方とも、屈曲部を含むか、または間に屈曲部が配置された直線状とすることができる。近位端部分６９６は、ガイドシャフト６０３の全長の約４分の１〜約半分とすることができる。いくつかの実施形態では、近位端部分６９６の長さは、ガイドシャフト６０３の長さの約３分の１とすることができる。したがって、いくつかの実施形態では、遠位端部分６９４は、ガイドシャフト６０３の長さの約半分〜約４分の３とすることができ、いくつかの実施形態では、ガイドシャフト６０３の長さの約３分の２とすることができる。
【００８９】
位置合わせガイド６０２は、挿入器１００の針部品１２０を交換する必要なしに（例えば、操作者が多様な異なる角度配向と近位端部分および遠位端部分の相対的な長さの構成とから選択することを可能にすることによって）操作者が処置の前にスリーブ部品１２４および針部品１２０の角度を修正することを可能にすることができる。さらに、ガイドシャフト６０３は、スリーブ部品１２４および針部品１２０の剛性を高めることができる。いくつかの実施形態では、位置合わせガイド６０２は、２８ゲージまたはより細いサイズの針を含むが、これに限定されない針部品１２０のためのより細いゲージの針の使用を容易にすることができる。こうして、本開示の実装形態は、有利には、送入プロセス中に針が十分な強度および剛性を示すことを保証しながら、眼内シャントの送入中に非常に小さくて繊細な針が使用されることを可能にすることができる。
【００９０】
スリーブ部品１２４および針部品１２０は、可撓性または弾性であり、位置合わせガイド６０２が設置されるときに偏向可能にすることができる。位置合わせガイド６０２を取り外して、スリーブ部品１２４および下にある針部品１２０をデフォルトの直線構成に運動させることができる。例えば、位置合わせガイド６０２は、スリーブ部品１２４を弾性変形させるように構成することができる。こうして、位置合わせガイド６０２を取り外すと、スリーブ部品１２４および針部品１２０は、直線構成に戻る。さらに、位置合わせガイド６０２は、必要に応じて、ハウジング１０２に再度設置することができる。
【００９１】
図８Ａ〜図８Ｃに示されるように、いくつかの実施形態では、位置合わせガイド６０２の適切な回転位置合わせは、キー止めまたは割り出すことができ、位置合わせガイド６０２をハウジング１０２に対して配向する取り付け部分６０４によって容易にすることができる。取り付け部分６０４の割り出し溝６０５は、ハウジング１０２の割り出し突出部１０５と位置合わせすることができる。いくつかの実施形態では、割り出し溝６０５は、割り出し突出部１０５にキー止めされて、位置合わせガイド６０２がハウジング１０２に所望の配向で取り付け可能にすることができる。こうして、位置合わせガイド６０２および挿入器１００は、１つ以上の事前設定された相対配向を有するように構成することができる。割り出し溝６０５は、取り付け部分６０４に形成された長手方向に延びるくぼみまたはスロットの形状であり得る。
【００９２】
さらに、割り出し溝６０５は、等しい円周距離で互いに（例えば、円周方向に）離間することができ、割り出し突出部１０５は、等しい円周間隔で（例えば、円周方向に）互いに離間することができ、その結果、位置合わせガイド６０２は、１つ以上の事前設定された回転配向に回転させることができる。しかしながら、割り出し溝６０５および／または割り出し突出部１０５の間の円周方向距離は変化することができる。図８Ａ〜図８Ｃに示される実施形態では、４つの事前設定された回転配向がある。いくつかの実施形態では、位置合わせガイド６０２は、位置合わせガイド６０２が挿入器１００に対して単一の回転配向を有するように、ハウジング１０２の単一の割り出し突出部１０５と嵌合できる単一の割り出し溝６０５を含むことができる。
【００９３】
取り付け部分６０４は、割り出し突出部１０５と同じ数の割り出し溝６０５を有することができる。しかしながら、いくつかの実施形態では、位置合わせガイド６０２は、割り出し突出部１０５よりも多い割り出し溝６０５を含むことができる。例えば、４つの割り出し突出部１０５および４つの割り出し溝６０５があり得るが、４つの割り出し突出部１０５および８つの割り出し溝６０５、４つの割り出し突出部１０５および１２個の割り出し溝６０５、または割り出し突出部１０５の割り出し溝６０５に対する比率が１：４、１：５、１：６、またはそれ以上とすることができる。
【００９４】
図９Ａは、いくつかの実施形態に係る、別の組み込み可能な端部部品、偏向器部品、または位置合わせガイド７００の正面斜視図である。図８Ａ〜図８Ｃに示される位置合わせガイド６０２と同様に、位置合わせガイド７００を使用して、スリーブ部品１２４を直線状および／または選択的に角度付き構成または屈曲構成に屈曲させるまたは維持することができる。本明細書で説明するように、位置合わせガイド６０２の特定の詳細または使用法は、位置合わせガイド７００でも実施することができ、簡潔にするためにここでは繰り返さない。
【００９５】
図９Ａおよび図９Ｂに示されるように、位置合わせガイド７００は、取り付け部分７０４に結合されるガイドシャフト７０２を含むことができる。位置合わせガイド６０２と同様に、取り付け部分７０４は、挿入器１００のハウジング１０２に対する位置合わせガイド７００の位置合わせおよび／または結合を容易にする１つ以上の割り出し溝７０６を含むことができる。
【００９６】
上述の位置合わせガイド６０２と同様に、挿入器１００は、位置合わせガイド７００が挿入器１００に結合されるか、またはスリーブ部品１２４の上に配置されて送入することができる。いくつかの実施形態では、中空ガイドシャフト７０２は、スリーブ部品１２４および針部品１２０の部分の上に配置することができる。ガイドシャフト７０２は、本明細書で説明される角度の付いたスリーブ部品と同様の角度を有するか、またはその角度を決定することができる。位置合わせガイド７００は、スリーブ部品１２４および針部品１２０を屈曲させ、挿入器の長手方向軸に対して約０度〜約３０度の間、約０度〜約２０度の間、約０度〜約１５度の間の範囲内で、または約８度で挿入器１００の長手方向軸１７８からガイドシャフト７０２の軸７１２の角度偏差７１０を提供することができる。
【００９７】
また、位置合わせガイド６０２と同様に、ガイドシャフト７０２の挿入または遠位端部分７２０は、実質的に直線状とすることができ、一方、ガイドシャフト７０２の配備または近位端部分７２２は、湾曲部または屈曲部を含むことができる。さらに、いくつかの実施形態では、遠位端部分７２０および近位端部分７２２は両方とも、屈曲部を含むか、またはそれらの間に屈曲部が配置された直線とすることができる。近位端部分７２２は、ガイドシャフト７０２の全長の約４分の１〜約２分の１とすることができる。いくつかの実施形態では、近位端部分７２２の長さは、ガイドシャフト７０２の長さの約３分の１とすることができる。したがって、いくつかの実施形態では、遠位端部分７２０は、ガイドシャフト７０２の長さの約半分〜約４分の３とすることができ、いくつかの実施形態では、ガイドシャフト７０２の長さの約３分の２とすることができる。
【００９８】
位置合わせガイド６０２と同様に、位置合わせガイド７００は、操作者が手技の前に挿入器１００の針部品１２０を交換する必要なしに、（例えば、操作者が、近位端部分と遠位端部分の相対的な長さの異なる角度配向および構成を有する様々な異なる位置合わせガイドから選択することを可能にすることによって）スリーブ部品１２４および針部品１２０の角度を修正することを可能にし得る。さらに、ガイドシャフト７０２は、スリーブ部品１２４および針部品１２０の剛性を高めることができる。いくつかの実施形態では、位置合わせガイド７００は、２８ゲージ以下のサイズの針を含むがこれに限定されない、針部品１２０用のより細いゲージの針の使用を容易にすることができる。したがって、本開示の実装形態は、有利には、送入プロセス中に針が十分な強度および剛性を示すことを保証しながら、眼内シャントの送入に非常に小さくて繊細な針の使用を可能にすることができる。
【００９９】
また上記と同様に述べたように、スリーブ部品１２４および針部品１２０は、位置合わせガイド７００が設置されるときの撓みを可能にするように可撓性または弾性的とすることができる。位置合わせガイド７００は、スリーブ部品１２４および下にある針部品１２０をデフォルトの直線構成に運動させることを可能にするために取り外すことができる。例えば、位置合わせガイド７００は、スリーブ部品１２４を弾性変形させるように構成することができる。したがって、位置合わせガイド７００を取り外すと、スリーブ部品１２４および針部品１２０は、直線構成に戻る。さらに、位置合わせガイド７００は、必要に応じて、ハウジング１０２に再度設置することができる。
【０１００】
図８Ａ〜図８Ｃに関して上記と同様に述べたように、図９Ａおよび図９Ｂの位置合わせガイド７００は、ハウジング１０２に対して位置合わせガイド７００を配向する、キー止めまたは割り出しが可能な取り付け部分７０４によって、挿入器１００に対して適切に回転して位置合わせすることができる。取り付け部分７０４の割り出し溝７０６は、ハウジング１０２の割り出し突出部１０５と位置合わせすることができる。いくつかの実施形態では、割り出し溝７０６は、割り出し突出部１０５に合わせて、位置合わせガイド７００を所望の配向でハウジング１０２に取り付け可能にすることができる。したがって、位置合わせガイド７００および挿入器１００は、１つ以上の事前に設定された相対配向を有するように構成することができる。割り出し溝７０６は、取り付け部分７０４に形成された長手方向に延びるくぼみまたはスロットの形状とすることができる。
【０１０１】
さらに、割り出し溝７０６は、等しい円周距離で互いに（例えば、円周方向に）離間することができ、割り出し突出部１０５は、等しい円周間隔で互いに（例えば、円周方向に）離間することができるので、位置合わせガイド７００を１つ以上の事前に設定された回転配向に回転させることができる。しかしながら、割り出し溝７０６および／または割り出し突出部１０５の間の円周距離は変化することができる。図９Ａおよび図９Ｂに示されている実施形態では、４つの事前に設定された回転配向がある。いくつかの実施形態では、位置合わせガイド７００は、位置合わせガイド７００が挿入器１００に対して単一の回転配向を有するように、ハウジング１０２の単一の割り出し突出部１０５と嵌合できる単一の割り出し溝７０６を含むことができる。
【０１０２】
取り付け部分７０４は、割り出し突出部１０５と同じ数の割り出し溝７０６を有することができる。しかしながら、いくつかの実施形態では、位置合わせガイド７００は、割り出し突出部１０５があるよりも多くの割り出し溝７０６を含むことができる。例えば、４つの割り出し突出部１０５および４つの割り出し溝７０６があることができるが、４つの割り出し突出部１０５および８つの割り出し溝７０６、４つの割り出し突出部１０５および１２個の割り出し溝７０６、または割り出し突出部１０５と割り出し溝７０６の比率が１：４、１：５、１：６、またはそれ以上とすることができる。
【０１０３】
いくつかの実施形態によると、位置合わせガイド７００の取り付け部分７０４は、位置合わせガイドが挿入器１００の遠位端部分の対応する係合機構にスナップするか、さもなければ係合することを可能にする１つ以上の保持または係合機構を含むことができる。そのような機構はまた、位置合わせガイド６０２の取り付け部分６０４と併せて使用することができる。
【０１０４】
いくつかの実施形態によれば、挿入器の針部品を保護するために様々な部品を使用することができる。これらの部品は、個別に、または相互に組み合わせて使用して、針部品の先端面取り部などの針部品の再度の位置決め、および／または挿入器または針アセンブリの輸送または配送中に損傷を受けることから保護することができる。この目的に使用できるそのような部品には、位置合わせガイド６０２または７００、保護キャップ、および先端面取り部保護装置が含まれる。これらの部品およびそれらの組み合わせ使用の例については、図１０Ａおよび図１０Ｂに関して以下で説明する。
【０１０５】
図１０Ａおよび図１０Ｂに示されるように、いくつかの実施形態では、先端面取り部保護装置８２０は、針部品１２０の先端面取り部領域または先端面取り部８００を保護するために、針部品１２０に挿入することができる。図１０Ａに示されるように、いくつかの実施形態では、位置合わせガイド６０２（位置合わせガイド７００でもあり得る）は、挿入器１００に結合され、先端面取り部保護装置８２０が針部品１２０に挿入されている間、スリーブ部品１２４を保護キャップ６１０に向けて角度を付けたままにすることにより、スリーブ部品１２４および／または針部品１２０を保護するために、スリーブ部品１２４および／または針部品１２０に角度を付けて使用することができる。こうして、図示のように、先端面取り部保護装置８２０は、針部品１２０から遠位に延び、保護キャップ６１０の内側側壁に接触することができる。したがって、位置合わせガイド６０２が、保護キャップ６１０の中心軸から離れる方向に（または保護キャップ６１０の側壁に向かって）針部品１２０を屈曲させることにより、先端面取り部保護装置８２０は、保護キャップ６１０の側壁に接触するように構成することができ、こうして、針部品１２０の先端面取り部８００を保護キャップ６１０の側壁から離間させ、保護キャップ６１０の側壁との接触を回避する。
【０１０６】
また、スリーブ部品１２４および針部品１２０を覆って保護するために、保護キャップ６１０をハウジング１０２の遠位部分に固定するために、保護キャップ６１０は、ハウジング１０２の一部と係合するように構成される。
【０１０７】
上記のように、いくつかの実施形態によれば、先端面取り部保護装置８２０はまた、挿入器または針アセンブリの輸送および配送中に、針部品の先端面取り部８００と保護キャップ６１０などの他の構造との偶発的な接触を低減または防止するために使用することができる。位置合わせガイド６０２または７００と組み合わせて使用される場合、位置合わせガイド６０２または７００は、先端面取り部保護装置８２０と保護キャップ６１０との間の所望の接触を引き起こさせ、針部品１２０を保護された位置に位置決めすることができる。しかしながら、いくつかの実施形態では、先端面取り部保護装置８２０は、それ自体で、または保護キャップ６１０または位置合わせガイド６０２または７００のいずれかまたは両方と共に使用することができる。
【０１０８】
挿入器１００は、針部品１２０の先端面取り部８００への偶発的な損傷を防止するために、挿入器１００の針部品１２０と係合する先端面取り部保護装置と組み合わせて使用することができる。いくつかの実施形態では、本明細書に記載の先端面取り部保護装置は、角度付けされたスリーブ部品１２４および／または位置合わせガイド６０２または７００と共に使用して、保護装置の端部を保護キャップ６１０に対して配置することができる。
【０１０９】
例えば、図１０Ｂは、挿入器の針部品１２０の遠位端部分を示す。先端面取り部保護装置８２０は、針部品１２０の遠位端部分８２２と係合することができる。先端面取り部保護装置８２０は、第１の部分８２６および第２の部分８２８を含む細長い本体８２４を含むことができる。第１の部分８２６は、より大きな直径の断面からより小さな直径の断面へ先細とすることができる。より小さな直径の断面は、針部品１２０の遠位端部分８２２の内径よりも小さくすることができる。こうして、第１の部分８２６は、針部品１２０の管腔８３０に挿入することができる。
【０１１０】
細長い本体８２４は、第１の部分８２６の先細りが可変直径断面を有する細長い本体８２４を提供するように構成することができる。直径は徐々にまたは段階的に先細りになることができる。
【０１１１】
図１０Ｂに示される実施形態に示されるように、第２の部分８２８に隣接する細長い本体８２４の断面輪郭または直径は、第１の部分８２６の近くの細長い本体８２４の断面輪郭または直径よりも大きくすることができる。例えば、第１の部分８２６から第２の部分８２８に向かって、細長い本体８２４の断面直径は、針部品の管腔８３０の内径よりも小さい直径から管腔８３０の内径よりも大きい直径へと増加することができる。こうして、細長い本体８２４は、針部品１２０の管腔８３０に挿入され、細長い本体の断面が管腔８３０の内径にほぼ等しい位置まで前進することができ、こうして、先端面取り部保護装置８２０の管腔８３０内へのさらなる前進を制限する。
【０１１２】
いくつかの実施形態では、細長い本体８２４は、針部品１２０の遠位端部分８２２と摩擦係合することができる。例えば、保持装置８２０は、針部品１２０に圧入して、細長い本体８２４の外面と管腔８３０の内面との間で摩擦係合を作成することができる。この摩擦係合は、保持装置８２０の第２の部分８２８に引き抜き力を加えることによって克服され、それによって先端面取り部保護装置８２０を管腔８３０から外へ引っ張り出すことができる。
【０１１３】
先端面取り部保護装置８２０は、円形または直径方向の断面を有するものとして示されているが、三角形、正方形、長方形、多角形、星形、または他の同様の輪郭などの他の断面を使用することもできる。さらに、先端面取り部保護装置８２０は、鋼で作ることができる。いくつかの実施形態によれば、先端面取り部保護装置８２０は、針の先端面取り部８００の内側にのみ接触することができ、したがって、針の外縁部によって機能させる針の鋭さに影響を及ぼさないことが有利である。
【０１１４】
したがって、先端面取り部保護装置８２０は、針の先端面取り部８００の縁部が他の表面と接触しないようにして、運送中または挿入器または針アセンブリの初期の取り扱い中の損傷を防止することを保証できる。操作者は挿入器で使用する準備ができると、先端面取り部保護装置８２０を針部品１２０から引き抜くことができ、治療を実行することができる。
【０１１５】
さらに、いくつかの実施形態では、挿入器１００は、ハウジング１０２に対する一貫したまたは持続的な摩擦係合を必要としないかまたは生成しない触覚または可聴フィードバック機構を含むことができる。したがって、本明細書で論じる挿入器の構成は、本明細書で論じられる他の構成を除外しながら、いくつかの実施形態に組み込むことができる。
【０１１６】
発明を実施するための形態は多くの詳細を含むが、これらは、主題技術の範囲を限定するものとして解釈されるべきではなく、単に主題技術の異なる例および態様を説明するものとして解釈されるべきである。主題技術の範囲には、上で詳細に説明されていない他の実施形態が含まれることを理解すべきである。本開示の範囲から逸脱することなく、本明細書に開示される主題技術の方法および装置の構成、操作、および詳細において、他の様々な修正、変更および変形を行うことができる。特に明記しない限り、単数形の要素への言及は、明示的に述べられていない限り、「１つだけ」を意味するように意図されるのではなく、「１つ以上」を意味するように意図される。また、本開示の範囲内に包含されるために、装置または方法が、本開示の異なる実施形態によって解決可能なすべての問題に対処する必要はない。
条項としての主題技術の説明
【０１１７】
本開示の態様の様々な例を、便宜上、条項として以下に説明する。これらは例として提供されており、主題技術を限定するものではありません。
【０１１８】
条項１：緑内障を治療するための眼内シャント挿入器であって、
遠位部分と、近位部分と、遠位部分と近位部分との間に延びる長手方向軸とを有するハウジングであって、ハウジングは、内部空洞と、ガイドチャネルと、細長いスロットとをさらに含み、ガイドチャネルは、長手方向軸に沿って延び、ハウジングの外面にそってアクセス可能であり、ガイドチャネルは内壁を有し、細長いスロットは、ハウジングの外面に沿って長手方向軸に沿って内部空洞内に延びる、ハウジングと、
ハウジングにその外面に沿って摺動可能に結合された摺動器部品であって、摺動器部品は、細長いスロットを介して挿入器の機能を作動させるために細長いスロットに沿って摺動可能であり、摺動器部品は、ガイドタブと、摩擦タブとを含み、ガイドタブは、ハウジングのガイドチャネル内に、ガイドチャネルに沿って摺動可能に配置され、摩擦タブは、ガイドタブに対して運動可能であり、摩擦タブをハウジングに押し付け、ガイドタブをガイドチャネルの内壁に接触させ、摺動器部品とハウジングとの間において摺動に対して摩擦抵抗を提供するように構成された付勢部分を含む、摺動器部品とを含む、眼内シャント挿入器。
【０１１９】
条項２：動器部品は、ハウジングが嵌合される内部領域を含む、条項１に記載の挿入器。
【０１２０】
条項３：内部領域は、半円筒形である、条項２に記載の挿入器。
【０１２１】
条項４：摩擦タブは、ハウジングの外面に接触するために、摺動器部品の内部領域に向かって内向きに延びる、条項２または３に記載の挿入器。
【０１２２】
条項５：摩擦タブは、摺動器部品の内部領域に向かって内向きに延びる一対の摩擦タブを含む、条項４に記載の挿入器。
【０１２３】
条項６：ガイドタブは、摺動器部品の内部領域に向かって内向きに延びる、条項２〜５のいずれか一項に記載の挿入器。
【０１２４】
条項７：ガイドタブは、摺動器部品の内部領域に向かって内向きに延びる一対のガイドタブを含む、条項２〜６のいずれか一項に記載の挿入器。
【０１２５】
条項８：摺動器部品は、略円筒形の輪郭を含み、ガイドタブは、内部領域の内面に沿って互いに約９０度〜約１８０度の間で離間される、条項２に記載の挿入器。
【０１２６】
条項９：ハウジングに結合されると、摺動器部品は、ガイドタブおよび摩擦タブを介してのみハウジングと接触する、条項１〜８のいずれか一項に記載の挿入器。
【０１２７】
条項１０：ガイドタブは、一対のガイドタブを含み、一対のガイドタブのそれぞれは、ガイドチャネル内に着座するように構成された長手方向に延びるフランジを含む、条項１〜９のいずれか一項に記載の挿入器。
【０１２８】
条項１１：ハウジングは、略円筒形の輪郭を含み、一対のガイドチャネルが、ハウジングの外面に沿って互いに約９０度〜約１８０度の間で離間されている、条項１〜１０のいずれか一項に記載の挿入器。
【０１２９】
条項１２：ガイドチャネルは、互いに約１８０度で配置される、条項１１に記載の挿入器。
【０１３０】
条項１３：ガイドタブ、摩擦タブ、および摺動器部品は、単一の連続した材料片として形成される、条項１〜１２のいずれか一項に記載の挿入器。
【０１３１】
条項１４：摩擦タブは、摺動器部品の本体を通る切り抜きとして形成される、条項１〜１３のいずれか一項に記載の挿入器。
【０１３２】
条項１５：摩擦タブは、摺動器部品の内部領域に向かって延びる突出部を含む、条項１４に記載の挿入器。
【０１３３】
条項１６：摺動器部品がハウジングに結合されると、摩擦タブの突出部がハウジングに接触する、条項１５に記載の挿入器。
【０１３４】
条項１７：摩擦タブの突出部は、ハウジングと接触して、摩擦タブをガイドタブから離れる方向に屈曲させる、条項１６に記載の挿入器。
【０１３５】
条項１８：ハウジングは、略円筒形の輪郭を含む、条項１〜１７のいずれか一項に記載の挿入器。
【０１３６】
条項１９：ハウジングは、摩擦タブがハウジングに接触して操作者に可聴または触覚フィードバックを提供できる係合構造体を含む、条項１〜１８のいずれか一項記載の挿入器。
【０１３７】
条項２０：係合構造体は、ハウジングの外面に少なくとも１つの不連続部を含む、条項１９に記載の挿入器。
【０１３８】
条項２１：係合構造体は、ハウジングの外面上の少なくとも１つの隆起部を含む、条項１９に記載の挿入器。
【０１３９】
条項２２：係合構造体は、ハウジングの外面上に複数の鋸歯状の構成を含む、条項１９に記載の挿入器。
【０１４０】
条項２３：係合構造体は、ハウジングの外面上に複数の先細ピークを含む、条項１９に記載の挿入器。
【０１４１】
条項２４：挿入器の機能は、針内でシャントを前進させることを含み、係合構造体に沿った摺動器部品の位置は、針に対するシャントの配備位置に対応する、条項１９に記載の挿入器。
【０１４２】
条項２５：係合構造体は、ハウジングの外面上の複数の隆起部を含み、隆起部のそれぞれは、眼内シャントの配備位置に対応する、条項１９に記載の挿入器。
【０１４３】
条項２６：摺動器部品は、ハウジング内の配備機構に動作可能に結合される、条項１〜２５のいずれか一項に記載の挿入器。
【０１４４】
条項２７：摺動器部品は、細長いスロットを通って延びるロッドを介して配備機構に結合され、ロッドは、摺動器部品および配備機構に結合される、条項２６に記載の挿入器。
【０１４５】
条項２８：約６度〜約１０度の間の角度の屈曲部を含む中空の針をさらに含み、針は、眼内シャントを運ぶように構成されている、条項１〜２７のいずれか一項に記載の挿入器。
【０１４６】
条項２９：針は、直線部分および角度付き部分を画定する、条項２８に記載の挿入器。
【０１４７】
条項３０：挿入器の遠位端部分から延びる中空の針をさらに含み、挿入器は、挿入器の遠位端部分に解放可能に取り付け可能な偏向器部品をさらに含み、偏向器部品が挿入器に結合されると、中空の針は偏向器部品を通って延び、偏向器は針を屈曲構成に維持する、条項１〜２９のいずれか一項に記載の挿入器。
【０１４８】
条項３１：屈曲構成において、針は、約６度〜約１０度の間の角度で屈曲される、条項３０に記載の挿入器。
【０１４９】
条項３２：針は、偏向器と結合されると、弾性変形する、条項３０に記載の挿入器。
【０１５０】
条項３３：挿入器の遠位端部分は割り出し構造を含み、偏向器部品は位置合わせ指標を含み、偏向器部品の位置合わせ指標は、割り出し構造と解放可能に係合して、挿入器に対する偏向器部品の回転配向を画定することができる、条項３０に記載の挿入器。
【０１５１】
条項３４：偏向器部品は、カプラーに取り付けられてそこから延びる屈曲した針ガイドを含み、位置合わせ指標は、カプラーに沿って形成される、条項３３に記載の挿入器。
【０１５２】
条項３５：位置合わせ指標は、カプラーの近位部分に沿って位置決めされる、条項３４に記載の挿入器。
【０１５３】
条項３６：位置合わせ指標は、カプラーの周囲に沿って延びる少なくとも１つの溝を含む、条項３４に記載の挿入器。
【０１５４】
条項３７：針ガイドは、中空シャフトを含む、条項３４に記載の挿入器。
【０１５５】
条項３８：割り出し構造は、対応する溝に摺動するように構成された少なくとも１つの突出部を含む、条項３３に記載の挿入器。
【０１５６】
条項３９：緑内障を治療するための眼内シャント挿入器であって、
遠位部分と、近位部分と、遠位部分と近位部分との間に延びる長手方向軸とを有するハウジングであって、ハウジングは、内部空洞と、ガイドチャネルと、挿入器の機能を作動させるための、ハウジングの外面に沿って空洞内に延びる細長いスロットとをさらに含む、ハウジングと、
ハウジングに結合され、その外面に沿って位置決めされた摺動器部品であって、摺動器部品は、細長いスロットに沿って摺動可能であり、摺動器は、ガイドチャネル内に配置されたガイドタブを含む、摺動器部品と、
付勢されたタブと係合構造体とを含む位置フィードバック機構であって、付勢されたタブは摺動器部品に結合され、係合構造体は、ハウジングの外面に沿って形成され、摺動器部品の動きは、付勢されたタブを係合構造体に沿って摺動させ、挿入器に対する眼内シャントの位置に関する操作者への触覚または聴覚フィードバックを生成する、位置フィードバック機構とを含む、眼内シャント挿入器。
【０１５７】
条項４０：係合構造体は、ハウジングの外面に少なくとも１つの不連続部を含む、条項３９に記載の挿入器。
【０１５８】
条項４１：係合構造体は、ハウジングの外面上に少なくとも１つの隆起部を含む、条項３９または４０に記載の挿入器。
【０１５９】
条項４２：係合構造体は、ハウジングの外面上に複数の鋸歯状の外観を含む、条項３９〜４１のいずれか一項に記載の挿入器。
【０１６０】
条項４３：係合構造体は、ハウジングの外面に複数の先細ピークを含む、条項３９〜４２のいずれか一項に記載の挿入器。
【０１６１】
条項４４：挿入器の機能は、針内でシャントを前進させることを含み、係合構造体に沿った摺動器部品の位置は、針に対するシャントの配備位置に対応する、条項３９〜４３のいずれか一項に記載の挿入器。
【０１６２】
条項４５：係合構造体は、ハウジングの外面上に複数の隆起部を含み、隆起部のそれぞれは、眼内シャントの配備位置に対応する、条項３９〜４４のいずれか一項に記載の挿入器。
【０１６３】
条項４６：複数の隆起部のそれぞれは、挿入器の配備機構の駆動部品の回転位置に対応する位置でハウジングに沿って配置される、条項４５に記載の挿入器。
【０１６４】
条項４７：挿入器の遠位端部分から延びる中空の針をさらに含み、挿入器は、挿入器の遠位端部分に解放可能に取り付け可能な偏向器部品をさらに含み、偏向器部品が挿入器に結合されると、中空の針は偏向器部品を通って延び、偏向器は針を屈曲構成に維持する、条項３９〜４６のいずれか一項に記載の挿入器。
【０１６５】
条項４８：屈曲構成では、針は、約６度〜約１０度の間の角度で屈曲される、条項４７に記載の挿入器。
【０１６６】
条項４９：針は、偏向器と結合されると、弾性変形する、条項４７に記載の挿入器。
【０１６７】
条項５０：針ガイドは、中空シャフトを含む、条項５２に記載の挿入器。
【０１６８】
条項５１：挿入器の遠位端部分は割り出し構造を含み、偏向器部品は位置合わせ指標を含み、偏向器部品の位置合わせ指標は、割り出し構造と解放可能に係合して、挿入器に対する偏向器部品の回転配向を画定することができる、条項４７に記載の挿入器。
【０１６９】
条項５２：偏向器部品は、カプラーに取り付けられてそこから延びる屈曲した針ガイドを含み、位置合わせ指標は、カプラーに沿って形成される、条項５１に記載の挿入器。
【０１７０】
条項５３：位置合わせ指標は、カプラーの近位部分に沿って位置決めされる、条項５２に記載の挿入器。
【０１７１】
条項５４：位置合わせ指標は、カプラーの周囲に沿って延びる少なくとも１つの溝を含む、条項５２に記載の挿入器。
【０１７２】
条項５５：割り出し構造は、少なくとも１つの溝内に摺動するように構成された少なくとも１つの突出部を含む、条項５４に記載の挿入器。
【０１７３】
条項５６：針は弾性変形可能である、条項４７記載の挿入器。
【０１７４】
条項５７：眼内シャント挿入器を操作する方法であって、
摺動器部品の摩擦タブとハウジングの間の摩擦抵抗を克服することにより、眼内シャント挿入器のハウジングに沿って摺動器部品を遠位方向に前進させることであって、摺動器部品は、挿入器の機能を作動させるために摺動可能であり、摺動器部品はガイドタブと摩擦タブとを含み、ガイドタブは、ハウジングのガイドチャネル内に、ガイドチャネルに沿って摺動可能に配置され、摩擦タブは、ガイドタブに対して運動可能であり、摩擦タブをハウジングに押し付け、ガイドタブをガイドチャネルの内壁に接触させ、摺動器部品とハウジングとの間において摩擦抵抗を提供するように構成された付勢部分を含むことと、
挿入器の針内に配置されたシャントに対して、摺動器と係合したプランジャーを接触させて、針内でシャントを遠位に前進させることとを含む、方法。
【０１７５】
条項５８：摩擦タブを介してハウジングの不連続部を係合させることをさらに含む、条項５７に記載の方法。
【０１７６】
条項５９：不連続部を係合させることにより可聴信号を生成することをさらに含む、条項５８に記載の方法。
【０１７７】
条項６０：不連続部の位置は、針の内腔内のシャントの位置に対応する、条項５８または５９に記載の方法。
【０１７８】
条項６１：不連続部は隆起部を含む、条項６０に記載の方法。
【０１７９】
条項６２：不連続部は鋸歯状の外観を含む、条項６０に記載の方法。
【０１８０】
条項６３：不連続部は先細ピークを含む、条項６０に記載の方法。
【０１８１】
条項６４：偏向器部品を挿入器の遠位端部分に結合することによって挿入器の針を屈曲させることをさらに含む、条項５７〜６３のいずれか一項に記載の方法。
【０１８２】
条項６５：屈曲は、偏向器部品を通して針を挿入して、針を屈曲させることを含む、条項６４に記載の方法。
【０１８３】
条項６６：屈曲は、約６度〜約１０度の間の角度で針を屈曲させることを含む、条項６４に記載の方法。
【０１８４】
条項６７：偏向器部品は、直線状の挿入部分と角度の付いた配備部分とを画定する、条項６４に記載の方法。
【０１８５】
条項６８：割り出し機構を介して、偏向器部品を挿入器の遠位端部分と位置合わせすることをさらに含む、条項６４に記載の方法。
【０１８６】
条項６９：割り出し機構は、挿入器の遠位端部分に少なくとも１つの突出部を含む、条項６８に記載の方法。
【０１８７】
条項７０：針を弾性変形させることをさらに含む、条項５７〜６９のいずれか一項に記載の方法。
【０１８８】
条項７１：眼内シャントを配備するためのシステムであって、
遠位端部分と、遠位端部分から延びる針とを有するハウジングを含む眼内シャント挿入器と、
挿入器の遠位端部分に解放可能に取り付け可能な偏向器部品であって、偏向器部品は、挿入器の針を中に受け入れるように構成された針ガイドを有し、針ガイドは、針を屈曲構成に維持する、偏向器部品とを含む、システム。
【０１８９】
条項７２：針ガイドは中空シャフトを含む、条項７１に記載のシステム。
【０１９０】
条項７３：屈曲構成では、針は、約６度〜約１０度の間の角度で屈曲される、条項７１または７２に記載のシステム。
【０１９１】
条項７４：針は、偏向器部品と結合されると、弾性変形する、条項７１〜７３のいずれか一項に記載の挿入器。
【０１９２】
条項７５：挿入器の遠位端部分は割り出し構造を含み、偏向器部品は位置合わせ指標を含み、偏向器部品の位置合わせ指標は、割り出し構造と解放可能に係合して、挿入器に対する偏向器部品の回転配向を画定することができる、条項７１〜７４のいずれか一項に記載の挿入器。
【０１９３】
条項７６：偏向器部品は、カプラーを含み、針ガイドは、カプラーに取り付けられ、位置合わせ指標は、カプラーに沿って形成される、条項７５に記載のシステム。
【０１９４】
条項７７：位置合わせ指標は、カプラーの近位部分に沿って位置決めされる、条項７６に記載のシステム。
【０１９５】
条項７８：位置合わせ指標は、カプラーの周囲に沿って延びる少なくとも１つの溝を含む、条項７６に記載のシステム。
【０１９６】
条項７９：割り出し構造は、対応する溝内に摺動するように構成された少なくとも１つの突出部を含む、条項７６に記載のシステム。
【０１９７】
条項８０：眼内シャント送入装置であって、
円筒状ハウジングであって、ハウジングに沿って長手方向に延びるガイドチャネルを含み、各ガイドチャネルは、上面を有する内壁を画定する、円筒状ハウジングと、
ハウジングの周りに配置された半円筒形の摺動器であって、摺動器は、ハウジングに対して軸方向に運動可能であり、摺動器は、
摺動器をハウジングに固定するために、ハウジングのガイドチャネルのそれぞれの内部に配置された一対のガイドタブと、
摺動器上のガイドタブの中間に配置された摩擦タブであって、摩擦タブをハウジングに押し付け、ガイドタブをガイドチャネルの内壁に接触させるように構成された付勢部分と、
ハウジング内のシャント配備機構に動作可能に結合された摺動器突出部とを含む、摺動器とを含む、眼内シャント送入装置。
【０１９８】
条項８１：ガイドチャネルは、互いに約１８０度で配置される、条項８０に記載の送入装置。
【０１９９】
条項８２：摺動器突出部は、ハウジングを通過して配備機構に達する、条項８０または８１に記載の送入装置。
【０２００】
条項８３：ハウジングは、操作者に可聴または触覚フィードバックを提供するために摩擦タブがハウジングに接触することができるハウジングの外面に沿って配置された係合構造体を含む、条項８０〜８２のいずれか一項記載の送入装置。
【０２０１】
条項８４：係合構造体は、溝、くぼみ、または突出部を含む、条項８３記載の送入装置。
【０２０２】
条項８５：係合構造体は、付勢部分を受け入れるための少なくとも１つの不連続部を含む、条項８３に記載の送入装置。
【０２０３】
条項８６：係合構造体は、ハウジングの外面上の少なくとも１つの隆起部を含む、条項８３に記載の送入装置。
【０２０４】
条項８７：係合構造体は、ハウジングの外面上に複数の鋸歯状の構成を含む、条項８３に記載の送入装置。
【０２０５】
条項８８：係合構造体は、ハウジングの外面上に複数の先細ピークを含む、条項８３に記載の送入装置。
【０２０６】
条項８９：約６度〜約１０度の角度の屈曲部を含み、眼内シャントを保持するように構成された中空の針をさらに含む、条項８０〜８８のいずれか一項に記載の送入装置。
【０２０７】
条項９０：屈曲部は、針の直線状の挿入部分と角度の付いた配備部分とを画定する、条項８９に記載の送入装置。
【０２０８】
送入装置の遠位端部分に解放可能に取り付け可能な偏向器部品をさらに含み、偏向器部品が送入装置に結合されると、中空の針が偏向器部品を通って延び、偏向器は、針を屈曲構成に維持する、条項８９に記載の送入装置。
【０２０９】
条項９２：針は弾性変形される、条項９１に記載の送入装置。
【０２１０】
条項９３：送入装置の遠位端部分は割り出し構造を含み、偏向器部品は位置合わせ指標を含み、偏向器部品の位置合わせ指標は、割り出し構造と解放可能に係合して、送入装置に対する偏向器部品の回転配向を画定することができる、条項９１に記載の送入装置。
【０２１１】
条項９４：眼内シャントを配備するための挿入器装置であって、装置は、
ハウジングと、
ハウジング内に配置されたシャント配備機構と、
眼内シャントを送入するためのハウジングおよび配備機構に結合された変形可能な中空の針と、
ハウジングの遠位端部分に解放可能に取り付け可能な偏向器部品であって、偏向器部品は、結合本体と、針の一部に対して位置決め可能な針ガイドとを含み、針を屈曲構成に位置決めさせる、偏向器部品とを含む、挿入器装置。
【０２１２】
条項９５：針ガイドは、約０度〜約１５度の間の角度の屈曲部を含む、条項９４に記載の装置。
【０２１３】
条項９６：針ガイドは、約２度〜約１０度の間の角度の屈曲部を含む、条項９４または９５に記載の装置。
【０２１４】
条項９７：針ガイドは、約３度〜約８度の間の角度の屈曲部を含む、条項９４〜９６のいずれか一項に記載の装置。
【０２１５】
条項９８：針ガイドは、約４度〜約６度の間の角度の屈曲部を含む、条項９４〜９７のいずれか一項に記載の装置。
【０２１６】
条項９９：針ガイドは、直線状の挿入部分と角度の付いた配備部分とを含む、条項９４〜９８のいずれか一項に記載の装置。
【０２１７】
条項１００：針は弾性変形可能である、条項９４〜９９のいずれか一項に記載の装置。
【０２１８】
条項１０１：ハウジングは割り出し構造を含み、偏向器部品は位置合わせ指標を含み、偏向器部品の位置合わせ指標は、割り出し構造と解放可能に係合して、挿入器装置に対する偏向器部品の回転配向を画定することができる、条項９４〜１００のいずれか一項に記載の装置。
【０２１９】
条項１０２：割り出し構造は、複数の割り出し溝を含む、条項１０１に記載の装置。
【０２２０】
条項１０３：複数の割り出し溝は、偏向器部品の複数の割り出し突出部を受け入れるように構成される、条項１０２に記載の装置。
【０２２１】
条項１０４：割り出し構造は、偏向器部品がハウジングと係合することができる複数の配向を画定する、条項１０１に記載の装置。
【０２２２】
条項１０５：条項１〜１０４のいずれか一項に記載される摺動器部品をさらに含む、条項９４〜１０４のいずれか一項に記載の装置。
【０２２３】
条項１０６：眼内シャント挿入器を操作する方法であって、方法は、
眼内シャントを配備するための挿入装置を提供することであって、装置は、遠位端部分を有するハウジングと、ハウジング内に配置されたシャント配備機構と、眼内シャントを送入するためにハウジングおよび配備機構に結合された変形可能な中空の針とを含むことと、
針を偏向器部品の針ガイドに挿入して、針を屈曲構成に位置決めさせることと、
偏向器部品の結合本体を遠位端部分に対して位置決めされた状態で、偏向器部品をハウジングの遠位端部分に結合することとを含む、方法。
【０２２４】
条項１０７：挿入することは、屈曲構成において、針を約０度〜約１５度の間の角度で屈曲させることを含む、条項１０６に記載の方法。
【０２２５】
条項１０８：挿入することは、屈曲構成において、針を約６度〜約１０度の間の角度で屈曲させることを含む、条項１０６または１０７に記載の方法。
【０２２６】
条項１０９：挿入することは、屈曲構成において、針を約２度〜約１０度の間の角度で屈曲させることを含む、条項１０６〜１０８のいずれか一項に記載の方法。
【０２２７】
条項１１０：挿入することは、屈曲構成において、針を約３度〜約８度の間の角度で屈曲させることを含む、条項１０６〜１０９のいずれか一項に記載の方法。
【０２２８】
条項１１１：挿入することは、屈曲構成において、針を約４度〜約６度の間の角度で屈曲させることを含む、条項１０６〜１１０のいずれか一項に記載の方法。
【０２２９】
条項１１２：針ガイドは、直線状の挿入部分と角度の付いた配備部分とを含む、条項１０６〜１１１のいずれか一項に記載の方法。
【０２３０】
条項１１３：割り出し機構を介して、偏向器部品を挿入器の遠位端部分と位置合わせすることをさらに含む、条項１０６〜１１２のいずれか一項に記載の方法。
【０２３１】
条項１１４：割り出し機構は、挿入器の遠位端部分にある少なくとも１つの突出部を含む、条項１１３に記載の方法。
【０２３２】
条項１１５：位置合わせすることは、ハウジングに対して偏向器部品を回転させて位置合わせすることを含む、条項１１３または１１４に記載の方法。
【０２３３】
条項１１６：回転させて位置合わせすることは、複数の回転位置から割り出しされた回転位置を選択することを含む、条項１１５に記載の方法。
【０２３４】
条項１１７：条項１〜１１６のいずれか一項に記載の構成のいずれかを組み込んだ装置。
【０２３５】
条項１１８：条項１〜１１６のいずれか一項に記載の構成のいずれかを組み込んだ方法。
【０２３６】
その他の考慮事項
いくつかの実施形態では、本明細書の条項のいずれかは、独立条項のいずれか１つまたは従属条項のいずれか１つに依存し得る。一態様では、条項（例えば、従属条項または独立条項）のいずれかを、他の任意の１つ以上の条項（例えば、従属条項または独立条項）と組み合わせることができる。一態様では、請求項は、節、文、語句、または段落に列挙された単語（例えば、ステップ、操作、手段、または部品）の一部またはすべてを含むことができる。一態様では、請求項は、１つ以上の節、文、語句、または段落に列挙された単語の一部またはすべてを含むことができる。一態様では、節、文、語句、または段落のそれぞれの単語のいくつかを削除することができる。一態様では、追加の単語または要素を、節、文、語句、または段落に追加することができる。一態様では、主題技術は、本明細書で説明される部品、要素、機能、または操作のいくつかを利用することなく実施することができる。一態様では、主題技術は、追加の部品、要素、機能、または操作を利用して実施することができる。
【０２３７】
単数形の要素への言及は、特に明記されていない限り、１つだけを意味することを意図しておらず、むしろ１つ以上を意味する。例えば、「ａ」モジュールは１つ以上のモジュールを指すことができる。「ａ」、「ａｎ」、「ｔｈｅ」、または「ｓａｉｄ」で始まる要素は、さらなる制約なしに、追加の同じ要素の存在を排除しない。
【０２３８】
見出しおよび小見出しは、もしも存在するならば、便宜上使用されているだけであり、本発明を限定するものではない。例示的な単語は、例または図示として役立つことを意味するために使用される。「含む（ｉｎｃｌｕｄｅ）」、「有する（ｈａｖｅ）」などの用語が使用される限り、そのような用語は、「含む（ｃｏｍｐｒｉｓｅ）」が請求項で移行単語として使用されるときに解釈されるような「含む（ｃｏｍｐｒｉｓｅ）」という用語と同様の方法で包括的であることを意図している。第１および第２などの関係用語は、エンティティまたは動作間の実際のそのような関係または順序を必ずしも必要とせず、または示唆することなく、１つのエンティティまたは動作を別のものから区別するために使用され得る。
【０２３９】
一態様、態様、別の一態様、いくつかの態様、１つ以上の態様、一実装形態、実装形態、別の一実装形態、いくつかの実装形態、１つ以上の実装形態、一実施形態、実施形態、別の一実施形態、いくつかの実施形態、１つ以上の実施形態、一構成、構成、別の一構成、いくつかの構成、１つ以上の構成、主題技術、開示、本開示、それらの他の変形などの語句は、便宜上のものであり、そのような語句に関連する開示が主題技術に不可欠である、またはそのような開示が主題技術のすべての構成に適用されることを示唆するものではない。そのような語句に関連する開示は、すべての構成、または１つ以上の構成に適用することができる。そのような語句に関連する開示は、１つ以上の例を提供することができる。一態様またはいくつかの態様などの語句は、１つ以上の態様を指すことができ、逆もまた同様であり、これは、他の前述の語句に同様に適用される。
【０２４０】
一連の項目の前にある「少なくとも１つの」という語句は、項目のいずれかを分離するために「および」または「または」という用語と共に、リストの各一員ではなく、全体としてリストを変更する。「少なくとも１つの」という語句は、少なくとも１つの項目の選択を必要せず、むしろ、この語句は、項目のうちの任意の１つ、および／または項目の任意の組み合わせのうちの少なくとも１つ、および／または項目のそれぞれのうちの少なくとも１つを含む意味を許容する。例として、「Ａ、Ｂ、およびＣのうちの少なくとも１つ」または「Ａ、Ｂ、またはＣのうちの少なくとも１つ」という語句のそれぞれは、Ａのみ、Ｂのみ、またはＣのみ、Ａ、Ｂ、およびＣの任意の組み合わせ、および／またはＡ、Ｂ、およびＣのそれぞれの少なくとも１つを指す。
【０２４１】
開示されたステップ、操作、またはプロセスの特定の順序または階層は、例示的なアプローチの実例であることが理解される。特に明記しない限り、ステップ、操作、またはプロセスの特定の順序または階層は、異なる順序で実行され得ることが理解される。ステップ、操作、またはプロセスのうちのいくつかは、同時に実行することができる。添付の方法請求項は、もし存在するならば、サンプルの順序で様々なステップ、操作、またはプロセスの要素を提示し、提示された特定の順序または階層に限定されることを意味しない。これらは、連続して、直線的に、並行して、または異なる順序で実行できる。説明された命令、操作、およびシステムは、概して、単一のソフトウェア／ハードウェア製品に統合されるか、または複数のソフトウェア／ハードウェア製品にパッケージ化されることができることを理解すべきである。
【０２４２】
一態様では、結合されるなどの用語は、直接結合されることを指すことができる。別の一態様では、結合されるなどの用語は、間接的に結合されることを指すことができる。
【０２４３】
頂部、底部、前部、後部、側部、水平、垂直などの用語は、通常の重力基準系ではなく、任意の基準系を指す。したがって、そのような用語は、重力基準系で上向き、下向き、斜め、または水平に拡張することができる。
【０２４４】
本開示は、当業者が本明細書で説明されている様々な態様を実施できるようにするために提供されている。いくつかの事例では、主題技術の概念を不明瞭にすることを避けるために、よく知られている構造および部品がブロック図の形で示されている。本開示は、主題技術の様々な例を提供し、主題技術はこれらの例に限定されない。これらの態様に対する様々な修正は、当業者には容易に明白であり、本明細書で説明される原理は、他の態様に適用することができる。
【０２４５】
当業者に知られている、または後に当業者に知られるようになる、本開示全体を通して説明される様々な態様の要素に対する構造的および機能的均等物はすべて、参照により本明細書に明示的に組み込まれ、請求項に含まれることを意図している。さらに、本明細書に開示されているものは、そのような開示が請求項に明示的に記載されているかどうかに関係なく、公に捧げることを意図したものではない。要素が「のための手段」の語句を使用して明示的に記載されていない限り、または方法請求項の場合、要素が「のためのステップ」の語句を使用して記載されていない限り、請求項の要素は、３５  Ｕ．Ｓ．Ｃ．§１１２の第６段落の規定の下で解釈されるべきではない。
【０２４６】
発明の名称、背景技術、図面の簡単な説明、要約、および図面は、これにより本開示に組み込まれ、限定的な説明としてではなく、本開示の例示的な例として提供される。それらは請求項の範囲または意味を制限するために使用されないことを理解して提出される。また、発明を実施するための形態では、説明は例示的な例を提供し、様々な構成が、本開示を簡素化する目的で様々な実装形態に共にグループ化されていることが分かる。本開示の方法は、特許請求された主題が各請求項で明示的に列挙されているよりも多くの構成を必要とするという意図を反映するものとして解釈されるべきではない。むしろ、請求項が反映するように、発明の主題は、単一の開示された構成または操作のすべての構成未満にある。請求項は、これにより発明を実施するための形態に組み込まれ、各請求項は、別個に請求される主題としてそれ自体で成立する。
【０２４７】
請求項は、本明細書に記載された態様に限定されることを意図するものではなく、請求項の言語と一致する全範囲を与えられ、すべての法的等価物を包含するものである。それにもかかわらず、いずれの請求項も、適用され得る特許法の要件を満たさない主題を包含することを意図しておらず、そのように解釈されるべきではない。
【図１Ａ】
2021516596.tif 000003
【図１Ｂ】
2021516596.tif 000004
【図２】
2021516596.tif 000005
【図３】
2021516596.tif 000006
【図４Ａ】
2021516596.tif 000007
【図４Ｂ】
2021516596.tif 000008
【図４Ｃ】
2021516596.tif 000009
【図５】
2021516596.tif 000010
【図６Ａ】
2021516596.tif 000011
【図６Ｂ】
2021516596.tif 000012
【図６Ｃ】
2021516596.tif 000013
【図７Ａ】
2021516596.tif 000014
【図７Ｂ】
2021516596.tif 000015
【図８Ａ】
2021516596.tif 000016
【図８Ｂ】
2021516596.tif 000017
【図８Ｃ】
2021516596.tif 000018
【図９Ａ】
2021516596.tif 000019
【図９Ｂ】
2021516596.tif 000020
【図１０Ａ】
2021516596.tif 000021
【図１０Ｂ】
2021516596.tif 000022
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
緑内障を治療するための眼内シャント挿入器であって、
遠位部分と、近位部分と、前記遠位部分と前記近位部分との間に延びる長手方向軸とを有するハウジングであって、前記ハウジングは、内部空洞と、ガイドチャネルと、細長いスロットとをさらに備え、前記ガイドチャネルは、長手方向軸に沿って延び、前記ハウジングの外面に沿ってアクセス可能になっており、前記ガイドチャネルは内壁を有し、前記細長いスロットは、前記ハウジングの前記外面に沿って前記長手方向軸に沿って内部空洞内に延びる、前記ハウジングと、
前記ハウジングの前記外面に沿って前記ハウジングに摺動可能に結合された摺動器部品であって、前記摺動器部品は、前記細長いスロットを介して前記挿入器の機能を作動させるために前記細長いスロットに沿って摺動可能になっており、前記摺動器部品は、ガイドタブと摩擦タブとを備え、前記ガイドタブは、前記ハウジングの前記ガイドチャネル内に、前記ガイドチャネルに沿って摺動可能に配置され、前記摩擦タブは、前記ガイドタブに対して運動可能であり、前記摩擦タブを前記ハウジングに押し付け、前記ガイドタブを前記ガイドチャネルの前記内壁に接触させ、前記摺動器部品と前記ハウジングとの間において摺動に対して摩擦抵抗を提供するように構成された付勢部分を備える、前記摺動器部品と
を備える、眼内シャント挿入器。
【請求項２】
前記摺動器部品は、前記ハウジングが嵌合される内部領域を備える、請求項１に記載の眼内シャント挿入器。
【請求項３】
前記摩擦タブは、前記ハウジングの外面に接触するために、前記摺動器部品の前記内部領域に向かって内向きに延びる、請求項１または請求項２に記載の眼内シャント挿入器。
【請求項４】
前記ガイドタブは、前記摺動器部品の内部領域に向かって内向きに延びる、請求項１から請求項３までのいずれか１項に記載の眼内シャント挿入器。
【請求項５】
前記摺動器部品は、略円筒形の輪郭を有し、前記ガイドタブは、前記内部領域の内面に沿って互いに約９０度〜約１８０度の間で離間される、請求項１から請求項４までのいずれか１項に記載の眼内シャント挿入器。
【請求項６】
前記ハウジングは、略円筒形の輪郭を有し、一対のガイドチャネルが、前記ハウジングの前記外面に沿って互いに約９０度〜約１８０度の間で離間されている、請求項１から請求項５までのいずれか１項に記載の眼内シャント挿入器。
【請求項７】
前記摩擦タブは、前記摺動器部品の本体を通る切り抜きとして形成される、請求項１から請求項６までのいずれか１項に記載の眼内シャント挿入器。
【請求項８】
前記ハウジングは、前記摩擦タブが前記ハウジングに接触して操作者に可聴または触覚フィードバックを提供できるインジケータ領域を有する、請求項１から請求項７までのいずれか１項に記載の眼内シャント挿入器。
【請求項９】
前記インジケータ領域は、前記ハウジングの前記外面上の少なくとも１つの隆起部を有する、請求項８に記載の眼内シャント挿入器。
【請求項１０】
前記摺動器部品は、前記ハウジング内の配備機構に動作可能に結合されるようになっている、請求項１から請求項９までのいずれか１項に記載の眼内シャント挿入器。
【請求項１１】
緑内障を治療するための眼内シャント挿入器であって、
遠位部分と、近位部分と、前記遠位部分と前記近位部分との間に延びる長手方向軸とを有するハウジングであって、前記ハウジングは、内部空洞と、ガイドチャネルと、前記挿入器の機能を作動させるための、前記ハウジングの外面に沿って前記空洞内に延びる細長いスロットとをさらに備える、前記ハウジングと、
前記ハウジングに結合され、その前記外面に沿って位置決めされた摺動器部品であって、前記摺動器部品は、前記細長いスロットに沿って摺動可能になっており、前記摺動器は、前記ガイドチャネル内に配置されたガイドタブを備える、前記摺動器部品と、
付勢されたタブとインジケータ領域とを備える位置フィードバック機構であって、前記付勢されたタブは前記摺動器部品に結合され、前記インジケータ領域は、前記ハウジングの前記外面に沿って形成され、前記摺動器部品の動きは、前記付勢されたタブを前記インジケータ領域に沿って摺動させ、前記挿入器に対する眼内シャントの位置に関する操作者への触覚または聴覚フィードバックを生成するようになっている、前記位置フィードバック機構と
を含む、眼内シャント挿入器。
【請求項１２】
前記インジケータ領域は、前記ハウジングの前記外面に少なくとも１つの不連続部を有する、請求項１１に記載の眼内シャント挿入器。
【請求項１３】
前記インジケータ領域は、前記ハウジングの前記外面上に少なくとも１つの隆起部を有する、請求項１１又は請求項１２に記載の眼内シャント挿入器。
【請求項１４】
前記インジケータ領域は、前記ハウジングの前記外面上に複数の隆起部を有し、前記隆起部のそれぞれは、眼内シャントの配備位置に対応する、請求項１１から請求項１３までのいずれか１項に記載の眼内シャント挿入器。
【請求項１５】
前記複数の隆起部のそれぞれは、前記挿入器の配備機構の駆動部品の回転位置に対応する位置で前記ハウジングに沿って配置される、請求項１４に記載の眼内シャント挿入器。
【国際調査報告】
2021516596.tif 000023
2021516596.tif 000024
2021516596.tif 000025